(57)【要約】  本願の実施形態は、セッション確立方法及び機器を提供し、その結果、端末のシステム間ハンドオーバの間に、確立されたＰＤＮコネクションが５Ｇネットワーク内のネットワークスライスへ転送される。前記方法は、端末により、制御プレーン機能エンティティから、確立されたＰＤＮコネクションを５Ｇネットワークへ転送するために使用される対応するネットワークスライス情報を受信するステップであって、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含む、ステップと、ＰＤＵセッション確立要求を送信するステップであって、前記ＰＤＵセッション確立要求は、第１ＰＤＮコネクションを前記５Ｇネットワークへ転送するために使用される対応するネットワークスライスＳ−ＮＳＳＡＩと、前記第１ＰＤＮコネクションを前記５Ｇネットワークへ転送するために使用される対応するデータネットワーク名ＤＮＮとを含み、前記第１ＰＤＮコネクションは前記確立されたＰＤＮコネクションのうちのいずれか１つである、ステップと、を含む。
2021503783.tif 000002
【特許請求の範囲】
【請求項１】
セッション確立方法であって、前記方法は、
端末により、制御プレーン機能エンティティから、確立されたパケットデータネットワークＰＤＮコネクションを５Ｇネットワークへ転送するために使用される対応するネットワークスライス情報を受信するステップであって、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含む、ステップと、
前記端末により、パケットデータユニットＰＤＵセッション確立要求を送信するステップであって、前記ＰＤＵセッション確立要求は、第１ＰＤＮコネクションを前記５Ｇネットワークへ転送するために使用される対応するネットワークスライスＳ−ＮＳＳＡＩを含み、前記第１ＰＤＮコネクションは前記確立されたＰＤＮコネクションのうちのいずれか１つである、ステップと、
を含む方法。
【請求項２】
前記ＰＤＵセッション確立要求は、前記第１ＰＤＮコネクションを前記５Ｇネットワークへ転送するために使用される対応するデータネットワーク名ＤＮＮを更に含む、請求項１に記載の方法。
【請求項３】
前記確立されたパケットデータネットワークＰＤＮコネクションを前記５Ｇネットワークへ転送するために使用される前記対応するネットワークスライス情報は、プロトコル構成オプションＰＣＯメッセージで運ばれる、請求項１又は２に記載の方法。
【請求項４】
前記端末は、前記制御プレーン機能エンティティから、指示情報を更に受信し、前記指示情報は、前記制御プレーン機能エンティティから受信した前記ネットワークスライス情報がホームＰＬＭＮネットワークスライス情報であることを示すために使用される、請求項１乃至３のいずれか一項に記載の方法。
【請求項５】
前記方法は、
ホームＰＬＭＮネットワークスライスＳ−ＮＳＳＡＩと訪問先ＰＬＭＮネットワークスライスＳ−ＮＳＳＡＩとの間の対応に基づき、前記端末の転送したいＰＤＮコネクションを５Ｇへ転送するために使用される対応するホームＰＬＭＮネットワークスライスＳ−ＮＳＳＡＩを、前記端末の転送したい前記ＰＤＮコネクションを５Ｇへ転送するために使用される対応する訪問先ＰＬＭＮネットワークスライスＳ−ＮＳＳＡＩにマッピングするステップ、
を更に含む請求項４に記載の方法。
【請求項６】
前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む、請求項１乃至５のいずれか一項に記載の方法。
【請求項７】
端末により、制御プレーン機能エンティティから、確立されたパケットデータネットワークＰＤＮコネクションを５Ｇネットワークへ転送するために使用される対応するネットワークスライス情報を受信する前記ステップの前に、前記方法は、
前記端末により、前記制御プレーン機能エンティティへ、能力指示を送信するステップであって、前記能力指示は、前記端末が前記５Ｇネットワークへハンドオーバ可能であることを示すために使用される、ステップ、
を更に含む請求項１乃至６のいずれか一項に記載の方法。
【請求項８】
パケットデータユニットＰＤＵセッション確立要求を送信する前記ステップの前に、前記方法は、
前記端末により、前記確立されたＰＤＮコネクションの中にあり且つ前記５Ｇネットワークへ転送可能なＰＤＮコネクションを決定するステップであって、前記第１ＰＤＮコネクションは、５Ｇへ転送可能な前記ＰＤＮコネクションのうちのいずれか１つである、ステップと、
を更に含む請求項１乃至７のいずれか一項に記載の方法。
【請求項９】
前記端末により、前記確立されたＰＤＮコネクションの中にあり且つ前記５Ｇネットワークへ転送可能なＰＤＮコネクションを決定する前記ステップは、具体的に、
前記端末により、登録要求を送信するステップであって、前記登録要求は、前記端末の転送したいＰＤＮコネクションを前記５Ｇネットワークへ転送するために使用される対応するネットワークスライス情報を含み、前記端末の転送したい前記ＰＤＮコネクションは、前記確立されたＰＤＮコネクションのうちの一部又は全部である、ステップと、
登録応答を受信するステップであって、前記登録応答は前記端末がアクセスを許可されたネットワークスライスのＳ−ＮＳＳＡＩを含む、ステップと、
前記端末の転送したい前記ＰＤＮコネクションを前記５Ｇネットワークへ転送するために使用される対応するＳ−ＮＳＳＡＩと前記端末がアクセスを許可された前記ネットワークスライスの前記Ｓ−ＮＳＳＡＩとに基づき、前記５Ｇネットワークへ転送可能な前記ＰＤＮコネクションを決定するステップと、
を含む、請求項８に記載の方法。
【請求項１０】
前記ＰＣＯメッセージは、前記第１ＰＤＮコネクションを前記５Ｇネットワークへ転送するために使用される前記対応するＤＮＮを更に含み、前記ＰＤＵセッション確立要求は、前記第１ＰＤＮコネクションに対応するアクセスポイント名ＡＰＮを更に含む、請求項３乃至９のいずれか一項に記載の方法。
【請求項１１】
セッション確立方法であって、前記方法は、
制御プレーン機能エンティティにより、端末へ、前記端末により確立されたパケットデータネットワークＰＤＮコネクションを５Ｇネットワークへ転送するために使用される対応するネットワークスライス情報を送信するステップであって、前記確立されたＰＤＮコネクションを前記５Ｇネットワークへ転送するために使用される前記対応するネットワークスライス情報は、前記確立されたＰＤＮコネクションに対応するネットワークスライス単一ネットワークスライス選択支援情報Ｓ−ＮＳＳＡＩを含む、ステップと、
前記制御プレーン機能エンティティにより、パケットデータユニットＰＤＵセッション確立要求を受信するステップであって、前記ＰＤＵセッション確立要求は、第１ＰＤＮコネクションに対応するネットワークスライスＳ−ＮＳＳＡＩを含み、前記第１ＰＤＮコネクションは前記確立されたＰＤＮコネクションのうちのいずれか１つである、ステップと、
を含む方法。
【請求項１２】
前記ＰＤＵセッション確立要求は、前記第１ＰＤＮコネクションを前記５Ｇネットワークへ転送するために使用される対応するデータネットワーク名ＤＮＮを更に含む、請求項１１に記載の方法。
【請求項１３】
前記確立されたパケットデータネットワークＰＤＮコネクションを前記５Ｇネットワークへ転送するために使用される前記対応するネットワークスライス情報は、プロトコル構成オプションＰＣＯメッセージで運ばれる、請求項１１又は１２に記載の方法。
【請求項１４】
前記方法は、
前記制御プレーン機能エンティティにより、前記確立されたＰＤＮコネクションに対応するアクセスポイント名ＡＰＮに基づき、前記確立されたＰＤＮコネクションを前記５Ｇネットワークへ転送するために使用される前記対応するネットワークスライス情報を決定するステップ、を更に含む請求項１１乃至１３のいずれか一項に記載の方法。
【請求項１５】
前記制御プレーン機能エンティティは、指示情報を更に送信し、前記指示情報は、前記制御プレーン機能エンティティにより送信された前記ネットワークスライス情報がホームＰＬＭＮネットワークスライス情報であることを示すために使用される、請求項１１乃至１４のいずれか一項に記載の方法。
【請求項１６】
前記確立されたＰＤＮがホーム網への経路設定（Ｈｏｍｅ  ｒｏｕｔｅｄ）シナリオで確立された場合、制御プレーン機能エンティティにより、確立されたパケットデータネットワークＰＤＮコネクションを５Ｇネットワークへ転送するために使用される対応するネットワークスライス情報を送信する前記ステップは、具体的に、
前記制御プレーン機能エンティティにより、前記確立されたＰＤＮコネクションを５Ｇへ転送するために使用される対応するホームＰＬＭＮネットワークスライス情報を決定するステップと、
前記確立されたＰＤＮコネクションを５Ｇへ転送するために使用される前記対応するホームＰＬＭＮネットワークスライス情報を、訪問先ＰＬＭＮネットワークスライス情報にマッピングするステップと、
前記端末へ、前記確立されたＰＤＮコネクションを５Ｇへ転送するために使用される前記対応するスライス情報として、前記確立されたＰＤＮコネクションを５Ｇへ転送するために使用される対応する訪問先ＰＬＭＮネットワークスライス情報を送信するステップと、
を含む、請求項１１乃至１４のいずれか一項に記載の方法。
【請求項１７】
前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む、請求項１１乃至１６のいずれか一項に記載の方法。
【請求項１８】
制御プレーン機能エンティティにより、端末へ、確立されたパケットデータネットワークＰＤＮコネクションを５Ｇネットワークへ転送するために使用される対応するネットワークスライス情報を送信する前記ステップの前に、前記方法は、
前記制御プレーン機能エンティティにより、前記端末から、能力指示を受信するステップであって、前記能力指示は、前記端末が前記５Ｇネットワークへ転送可能であることを示すために使用される、ステップ、
を含む請求項１１乃至１７のいずれか一項に記載の方法。
【請求項１９】
前記ＰＣＯメッセージは、前記確立されたＰＤＮコネクションを前記５Ｇネットワークへ転送するために使用される対応するＤＮＮを更に含む、請求項１３乃至１８のいずれか一項に記載の方法。
【請求項２０】
端末であって、前記端末は、受信モジュールと送信モジュールとを含み、
前記受信モジュールは、制御プレーン機能エンティティから、確立されたパケットデータネットワークＰＤＮコネクションを５Ｇネットワークへ転送するために使用される対応するネットワークスライス情報を受信するよう構成され、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含み、
前記送信モジュールは、パケットデータユニットＰＤＵセッション確立要求を送信するよう構成され、前記ＰＤＵセッション確立要求は、第１ＰＤＮコネクションを前記５Ｇネットワークへ転送するために使用される対応するネットワークスライスＳ−ＮＳＳＡＩを含み、前記第１ＰＤＮコネクションは前記確立されたＰＤＮコネクションのうちのいずれか１つである、
端末。
【請求項２１】
前記ＰＤＵセッション確立要求は、前記第１ＰＤＮコネクションを前記５Ｇネットワークへ転送するために使用される対応するデータネットワーク名ＤＮＮを更に含む、請求項２０に記載の端末。
【請求項２２】
前記確立されたパケットデータネットワークＰＤＮコネクションを前記５Ｇネットワークへ転送するために使用される前記対応するネットワークスライス情報は、プロトコル構成オプションＰＣＯメッセージで運ばれる、請求項２０又は２１に記載の端末。
【請求項２３】
前記受信モジュールは、前記制御プレーン機能エンティティから、指示情報を受信するよう更に構成され、前記指示情報は、前記制御プレーン機能エンティティから受信した前記ネットワークスライス情報がホームＰＬＭＮネットワークスライス情報であることを示すために使用される、請求項２０乃至２２のいずれか一項に記載の端末。
【請求項２４】
前記端末は、マッピングモジュールを更に含み、
前記マッピングモジュールは、ホームＰＬＭＮネットワークスライスＳ−ＮＳＳＡＩと訪問先ＰＬＭＮネットワークスライスＳ−ＮＳＳＡＩとの間の対応に基づき、前記端末の転送したいＰＤＮコネクションを５Ｇへ転送するために使用される対応するホームＰＬＭＮネットワークスライスＳ−ＮＳＳＡＩを、前記端末の転送したい前記ＰＤＮコネクションを５Ｇへ転送するために使用される対応する訪問先ＰＬＭＮネットワークスライスＳ−ＮＳＳＡＩにマッピングするよう構成される、請求項２３に記載の端末。
【請求項２５】
前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む、請求項２０乃至２４のいずれか一項に記載の端末。
【請求項２６】
前記送信モジュールは、前記制御プレーン機能エンティティへ能力指示を送信するよう更に構成され、前記能力指示は、前記端末が前記５Ｇネットワークにハンドオーバ可能であることを示すために使用される、請求項２０乃至２５のいずれか一項に記載の端末。
【請求項２７】
前記端末は決定モジュールを更に含み、前記決定モジュールは、前記確立されたＰＤＮコネクションの中にあり且つ前記５Ｇネットワークへ転送可能なＰＤＮコネクションを決定するよう構成され、前記第１ＰＤＮコネクションは、５Ｇへ転送可能な前記ＰＤＮコネクションのうちのいずれか１つである、請求項２０乃至２６のいずれか一項に記載の端末。
【請求項２８】
前記決定モジュールは、具体的に、
登録要求を送信し、前記登録要求は、前記端末の転送したいＰＤＮコネクションを前記５Ｇネットワークへ転送するために使用される対応するネットワークスライス情報を含み、前記端末の転送したい前記ＰＤＮコネクションは、前記確立されたＰＤＮコネクションのうちの一部又は全部であり、
登録応答を受信し、前記登録応答は前記端末がアクセスを許可されたネットワークスライスのＳ−ＮＳＳＡＩを含み、
前記端末の転送したい前記ＰＤＮコネクションを前記５Ｇネットワークへ転送するために使用される対応するＳ−ＮＳＳＡＩと前記端末がアクセスを許可された前記ネットワークスライスの前記Ｓ−ＮＳＳＡＩとに基づき、前記５Ｇネットワークへ転送可能な前記ＰＤＮコネクションを決定する、
よう構成される、請求項２７に記載の端末。
【請求項２９】
前記ＰＣＯメッセージは、前記第１ＰＤＮコネクションを前記５Ｇネットワークへ転送するために使用される前記対応するＤＮＮを更に含み、前記ＰＤＵセッション確立要求は、前記第１ＰＤＮコネクションに対応するアクセスポイント名ＡＰＮを更に含む、請求項２０乃至２８のいずれか一項に記載の端末。
【請求項３０】
制御プレーン機能エンティティであって、送信モジュールと受信モジュールとを含み、
前記送信モジュールは、端末へ、前記端末により確立されたパケットデータネットワークＰＤＮコネクションを５Ｇネットワークへ転送するために使用される対応するネットワークスライス情報を送信するよう構成され、前記確立されたＰＤＮコネクションを前記５Ｇネットワークへ転送するために使用される前記対応するネットワークスライス情報は、前記確立されたＰＤＮコネクションに対応するネットワークスライス単一ネットワークスライス選択支援情報Ｓ−ＮＳＳＡＩを含み、
前記受信モジュールは、パケットデータユニットＰＤＵセッション確立要求を受信するよう構成され、前記ＰＤＵセッション確立要求は、第１ＰＤＮコネクションに対応するネットワークスライスＳ−ＮＳＳＡＩを含み、前記第１ＰＤＮコネクションは前記確立されたＰＤＮコネクションのうちのいずれか１つである、
制御プレーン機能エンティティ。
【請求項３１】
前記ＰＤＵセッション確立要求は、前記第１ＰＤＮコネクションを前記５Ｇネットワークへ転送するために使用される対応するデータネットワーク名ＤＮＮを更に含む、請求項３０に記載の制御プレーン機能エンティティ。
【請求項３２】
前記確立されたパケットデータネットワークＰＤＮコネクションを前記５Ｇネットワークへ転送するために使用される前記対応するネットワークスライス情報は、プロトコル構成オプションＰＣＯメッセージで運ばれる、請求項３０又は３１に記載の制御プレーン機能エンティティ。
【請求項３３】
前記制御プレーン機能エンティティは決定モジュールを更に含み、
前記決定モジュールは、前記確立されたＰＤＮコネクションに対応するアクセスポイント名ＡＰＮに基づき、前記確立されたＰＤＮコネクションを前記５Ｇネットワークへ転送するために使用される前記対応するネットワークスライス情報を決定するよう構成される、請求項３０乃至３２のいずれか一項に記載の制御プレーン機能エンティティ。
【請求項３４】
前記送信モジュールは、指示情報を送信するよう更に構成され、前記指示情報は、前記制御プレーン機能エンティティにより送信した前記ネットワークスライス情報がホームＰＬＭＮネットワークスライス情報であることを示すために使用される、請求項３０乃至３３のいずれか一項に記載の制御プレーン機能エンティティ。
【請求項３５】
前記確立されたＰＤＮがホーム網への経路設定（Ｈｏｍｅ  ｒｏｕｔｅｄ）シナリオで確立された場合、前記送信モジュールは、具体的に、
前記確立されたＰＤＮコネクションを５Ｇへ転送するために使用される対応するホームＰＬＭＮネットワークスライス情報を決定し、
前記確立されたＰＤＮコネクションを５Ｇへ転送するために使用される前記対応するホームＰＬＭＮネットワークスライス情報を、訪問先ＰＬＭＮネットワークスライス情報にマッピングし、
前記端末へ、前記確立されたＰＤＮコネクションを５Ｇへ転送するために使用される前記対応するスライス情報として、前記確立されたＰＤＮコネクションを５Ｇへ転送するために使用される対応する訪問先ＰＬＭＮネットワークスライス情報を送信する、
よう構成される、請求項３０乃至３３のいずれか一項に記載の制御プレーン機能エンティティ。
【請求項３６】
前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む、請求項３０乃至３５のいずれか一項に記載の制御プレーン機能エンティティ。
【請求項３７】
前記受信モジュールは、前記端末から能力指示を受信するよう更に構成され、前記能力指示は、前記端末が前記５Ｇネットワークにハンドオーバ可能であることを示すために使用される、請求項３０乃至３６のいずれか一項に記載の制御プレーン機能エンティティ。
【請求項３８】
前記ＰＣＯメッセージは、前記確立されたＰＤＮコネクションを前記５Ｇネットワークへ転送するために使用される対応するＤＮＮを更に含む、請求項３０乃至３７のいずれか一項に記載の制御プレーン機能エンティティ。
【請求項３９】
機器であって、前記機器はプロセッサとメモリとを含み、
前記メモリは、コンピュータ実行可能命令を格納するよう構成され、前記機器が起動すると、前記プロセッサが前記メモリに格納された前記コンピュータ実行可能命令を実行して、前記機器が請求項１乃至１０のいずれか一項に記載のセッション確立方法を実行するようにする、機器。
【請求項４０】
前記機器は、端末又は前記端末の中のチップを含む、請求項３９に記載の機器。
【請求項４１】
制御プレーン機能エンティティであって、前記制御プレーン機能エンティティはプロセッサとメモリとを含み、
前記メモリは、コンピュータ実行可能命令を格納するよう構成され、前記セッション管理エンティティが起動すると、前記プロセッサが前記メモリに格納された前記コンピュータ実行可能命令を実行して、前記セッション管理エンティティが請求項１１乃至１９のいずれか一項に記載のセッション確立方法を実行するようにする、制御プレーン機能エンティティ。
【請求項４２】
コンピュータ記憶媒体であって、前記コンピュータ可読記憶媒体は命令を格納し、前記命令がコンピュータ上で実行すると、前記コンピュータは、請求項１乃至１０のいずれか一項に記載の方法を実行できる、コンピュータ記憶媒体。
【請求項４３】
コンピュータ記憶媒体であって、前記コンピュータ可読記憶媒体は命令を格納し、前記命令がコンピュータ上で実行すると、前記コンピュータは、請求項１１乃至１９のいずれか一項に記載の方法を実行できる、コンピュータ記憶媒体。
【請求項４４】
セッション確立方法であって、前記方法は、
端末により、制御プレーン機能エンティティから、確立されたパケットデータネットワークＰＤＮコネクションを５Ｇネットワークへ転送するために使用される対応するネットワークスライス情報を受信するステップであって、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含む、ステップと、
前記端末が前記５Ｇネットワークのカバレッジエリア内へ移動すると、前記端末により、アクセス装置へ登録要求を送信するステップであって、前記登録要求は、前記端末の送信したいＰＤＮコネクションを５Ｇへ転送するために使用される対応するネットワークスライス情報を含み、前記端末の送信したい前記ＰＤＮコネクションは前記確立されたＰＤＮコネクションのうちの一部又は全部である、ステップと、
を含む方法。
【請求項４５】
端末であって、前記端末は、受信モジュールと送信モジュールとを含み、
前記受信モジュールは、制御プレーン機能エンティティから、確立されたパケットデータネットワークＰＤＮコネクションを５Ｇネットワークへ転送するために使用される対応するネットワークスライス情報を受信するよう構成され、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含み、
前記送信モジュールは、前記端末が前記５Ｇネットワークのカバレッジエリア内へ移動すると、アクセス装置へ登録要求を送信するよう構成され、前記登録要求は、前記端末の転送したいＰＤＮコネクションを５Ｇへ転送するために使用される対応するネットワークスライス情報を含み、前記端末の転送したい前記ＰＤＮコネクションは前記確立されたＰＤＮコネクションのうちの一部又は全部である、
端末。
【請求項４６】
コンピュータ記憶媒体であって、前記コンピュータ可読記憶媒体は命令を格納し、前記命令がコンピュータ上で実行すると、前記コンピュータは、請求項４４に記載の方法を実行できる、コンピュータ記憶媒体。
【請求項４７】
機器であって、前記機器はプロセッサとメモリとを含み、
前記メモリは、コンピュータ実行可能命令を格納するよう構成され、前記機器が起動すると、前記プロセッサが前記メモリに格納された前記コンピュータ実行可能命令を実行して、前記機器が請求項４４に記載のセッション確立方法を実行するようにする、機器。
【請求項４８】
前記機器は、端末または前記端末の中のチップを含む、請求項４７に記載の機器。
【発明の詳細な説明】
【技術分野】
【０００１】
［関連出願］
本願は、参照により全体がここに組み込まれる、中国特許出願番号第２０１７１１１４８０５７．６号、２０１７年１１月１７日出願、名称「SESSION  ESTABLISHMENT  METHOD  AND  APPARATUS  」、及び中国特許出願番号第２０１８１００３７１９２．１号、２０１８年１月１５日出願、名称「SESSION  ESTABLISHMENT  METHOD  AND  APPARATUS」の優先権を主張する。
【０００２】
［技術分野］
本願は、通信技術の分野に関し、特に、セッション確立方法及び機器に関する。
【背景技術】
【０００３】
無線通信技術の急速な発展に伴い、第５世代（fifth  generation,  ５G）移動体通信技術が現れる。ネットワーク発展の初期段階では、５Ｇネットワークカバレッジは不十分なので、ユーザ機器（User  Equipment,  UE）の位置が変化すると、ＵＥは５Ｇネットワークと第４世代（fourth  generation,  ４G）ネットワークとの間でハンドオーバされる可能性がある。
【０００４】
ネットワークスライス（network  slice）は、特定のネットワーク能力及びネットワーク機能をサポートするために使用される論理的に独立したネットワークであり、エンドツーエンド（end−to−end,  E２E）方式でネットワーク全体を含んでよく、幾つかのネットワーク機能は複数のネットワークスライスにより共有されてよい。ネットワークスライシングは、５Ｇ移動体通信技術においてネットワークの差別化された要件に適合するための主要技術である。
【０００５】
ネットワークスライスは、具体的に、ネットワークスライス選択支援情報（network  slice  selection  assistance  information,  NSSAI）により表されてよい。端末が５Ｇネットワークコアネットワーク（５G  core  network,  ５GC）にアクセスするとき、端末は要求されたＮＳＳＡＩを提供し、ネットワークはＮＳＳＡＩに基づき端末のために対応するネットワークスライスを選択する。さらに、ネットワークは、端末の要求されたＮＳＳＡＩに基づき、端末がアクセスを許可されるネットワークスライスのＮＳＳＡＩ、つまり許可ＮＳＳＡＩを決定する。
【０００６】
しかしながら、４Ｇネットワークにはネットワークスライスの概念がない。４Ｇでは、各パケットデータネットワーク（packet  data  network,  PDN）コネクションは、アクセスポイント名（access  point  name,  APN）に対応する。データネットワーク名（data  network  name,  DNN）及び単一ＮＳＳＡＩ（single  NSSAI,  S−NSSAI）は、ネットワークスライス内でパケットデータユニット（packet  data  unit,  PDU）セッションを生成するために要求される。既存プロトコルでは、ＡＰＮはＤＮＮと等価であってよいが、端末が４Ｇネットワークからネットワークスライシングをサポートする５ＧＣへハンドオーバされるとき、決定したＳ−ＮＳＳＡＩに基づき５ＧＣのネットワークスライス内でＰＤＵセッションを確立するために、４Ｇネットワーク内で端末により確立されたＰＤＮコネクションに対応するネットワークスライスのＳ−ＮＳＳＡＩを決定するための関連するソリューションは現在存在しない。
【発明の概要】
【０００７】
本願の実施形態は、セッション確立方法及び機器を提供し、その結果、端末のシステム間移動の間に、確立されたＰＤＮコネクションが５Ｇネットワーク内のネットワークスライスへ転送できる。
【０００８】
前述の目的を達成するために、本願の実施形態は、以下の技術的ソリューションを提供する。
【０００９】
第１の態様によると、セッション確立方法が提供され、前記方法は、端末により、制御プレーン機能エンティティから、確立されたパケットデータネットワークＰＤＮコネクションを５Ｇネットワークへ転送するために使用される対応するネットワークスライス情報を受信するステップであって、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライス単一ネットワークスライス選択支援情報Ｓ−ＮＳＳＡＩを含む、ステップと、パケットデータユニットＰＤＵセッション確立要求を送信するステップであって、前記ＰＤＵセッション確立要求は、第１ＰＤＮコネクションを前記５Ｇネットワークへ転送するために使用される対応するネットワークスライスＳ−ＮＳＳＡＩと、前記第１ＰＤＮコネクションを前記５Ｇネットワークへ転送するために使用される対応するデータネットワークネームＤＮＮとを含み、前記第１ＰＤＮコネクションは前記確立されたＰＤＮコネクションのうちのいずれか１つである、ステップと、を含む。前記端末は、１つ以上の制御プレーン機能エンティティを用いて、４Ｇネットワーク内で１つ以上のＰＤＮコネクションを確立する。
【００１０】
前記端末が非ローミングシナリオ又はローカルブレイクアウト（Local  breakout,  LBO）ローミングシナリオにあるとき、前記第１ＰＤＮコネクションを前記５Ｇネットワークへ転送するために使用される前記対応するネットワークスライスＳ−ＮＳＳＡＩは、前記制御プレーン機能エンティティから前記端末により受信された前記ネットワークスライスＳ−ＮＳＳＡＩである。
【００１１】
前記端末がホーム網への経路設定（Home  routed）シナリオにあるとき、前記第１ＰＤＮコネクションを前記５Ｇネットワークへ転送するために使用される前記対応するネットワークスライスＳ−ＮＳＳＡＩは、訪問先ＰＬＭＮネットワークスライスＳ−ＮＳＳＡＩである。具体的に、ＰＤＵセッション確立要求を送信する前記ステップの前に、前記方法は、ホームＰＬＭＮネットワークスライスＳ−ＮＳＳＡＩと訪問先ＰＬＭＮネットワークスライスＳ−ＮＳＳＡＩとの間のマッピング関係に基づき、前記端末により前記訪問先ＰＬＭＮネットワークスライスＳ−ＮＳＳＡＩに、前記制御プレーン機能エンティティから受信され且つ前記第１ＰＤＮコネクションを前記５Ｇネットワークへ転送するために使用される対応するネットワークスライス情報をマッピングするステップ、を更に含む。
【００１２】
前記制御プレーン機能エンティティは、前記端末へ、前記確立されたＰＤＮコネクションを前記５Ｇネットワークへ転送するために使用される前記対応するネットワークスライス情報を送信し、その結果、前記５Ｇネットワークへ前記確立されたＰＤＮコネクションを転送するとき、前記端末は、前記対応するネットワークスライス情報に基づき、５Ｇネットワークスライス内でＰＤＵセッションを確立してよい。
【００１３】
可能な実装では、前記確立されたパケットデータネットワークＰＤＮコネクションを前記５Ｇネットワークへ転送するために使用される前記対応するネットワークスライス情報は、プロトコル構成オプションＰＣＯメッセージで運ばれる。前記制御プレーン機能エンティティは、前記端末へ、前記ＰＣＯメッセージを用いて、前記確立されたＰＤＮコネクションを前記５Ｇネットワークへ転送するために使用される前記対応するネットワークスライス情報を送信する。具体的に、前記ＰＣＯメッセージは、前記４Ｇネットワーク内のモビリティ管理エンティティ（Mobility  Management  Entity,  MME）及び基地局を介して前記端末へ送信されてよい。前記確立されたパケットデータネットワークＰＤＮコネクションを前記５Ｇネットワークへ転送するために使用される前記対応するネットワークスライス情報は、前記ＰＣＯメッセージを用いて送信され、その結果、前記ＭＭＥは前記メッセージを透過的に送信し得るだけでなく、前記メッセージを格納する必要がない。
【００１４】
可能な実装では、前記端末は、前記制御プレーン機能エンティティから、指示情報を更に受信し、前記指示情報は、前記制御プレーン機能エンティティから受信した前記ネットワークスライス情報がホームＰＬＭＮネットワークスライス情報であることを示すために使用される。ネットワークへ前記ＰＤＵセッション確立要求を送信する前に、前記端末は、先ず、ホームＰＬＭＮネットワークスライスＳ−ＮＳＳＡＩと訪問先ＰＬＭＮネットワークスライスＳ−ＮＳＳＡＩとの間の前記対応に基づき、前記端末の転送したいＰＤＮコネクションを５Ｇへ転送するために使用される対応するホームＰＬＭＮネットワークスライスＳ−ＮＳＳＡＩを、前記端末の転送したい前記ＰＤＮコネクションを５Ｇへ転送するために使用される対応する訪問先ＰＬＭＮネットワークスライスＳ−ＮＳＳＡＩにマッピングし、次に、ＰＤＵセッションを確立するよう前記ネットワークをトリガするために、前記ＰＤＵセッション確立要求に、前記端末の転送したい前記ＰＤＮコネクションを５Ｇへ転送するために使用される前記対応する訪問先ＰＬＭＮネットワークスライスＳ−ＮＳＳＡＩを追加する。
【００１５】
可能な実装では、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む。１つより多くのネットワークスライスインスタンスが前記ネットワーク内の１つのＳ−ＮＳＳＡＩピースについて展開されるとき、前記制御プレーン機能エンティティにより前記端末へ送信され且つ前記５Ｇネットワークへ前記ＰＤＮコネクションを転送するために使用される前記対応するネットワークスライス情報は、対応するネットワークスライスインスタンス識別子を更に含み、それにより、前記ＰＤＮコネクションが転送された後に、セッション連続性を保証する。
【００１６】
可能な実装では、端末により、制御プレーン機能エンティティから、確立されたパケットデータネットワークＰＤＮコネクションを５Ｇネットワークへ転送するために使用される対応するネットワークスライス情報を受信する前記ステップの前に、前記方法は、前記端末により、前記制御プレーン機能エンティティへ、能力指示を送信するステップであって、前記能力指示は、前記端末が前記５Ｇネットワークへ転送可能であることを示すために使用される、ステップを更に含む。特定の実装では、ＰＤＮコネクションが前記４Ｇネットワーク内で確立された後に、全部の端末が、前記確立されたＰＤＮコネクションを前記５Ｇネットワークへ転送するために使用される対応するネットワークスライス情報を受信する必要はない。例えば、５Ｇネットワーク通信能力をサポートしない端末は、前記端末が前記情報を受信した場合でも、前記情報を用いて前記５Ｇネットワークへ転送できない。
【００１７】
任意で、時には、全部のＰＤＮコネクションが５Ｇネットワークへ転送できるのではない。前記５Ｇネットワークへ転送できないＰＤＮコネクションでは、前記端末がＰＤＵセッション確立要求を送信した場合でも、セッション確立は最終的に失敗する。不要なシグナリングの浪費を回避するために、パケットデータユニットＰＤＵセッション確立要求を送信する前記ステップの前に、前記方法は、前記端末により、前記確立されたＰＤＮコネクションの中にあり且つ前記５Ｇネットワークへ転送可能なＰＤＮコネクションを決定するステップであって、前記第１ＰＤＮコネクションは、前記５Ｇネットワークへ転送可能な前記ＰＤＮコネクションのうちのいずれか１つである、ステップを更に含む。前記端末により、前記確立されたＰＤＮコネクションの中にあり且つ前記５Ｇネットワークへ転送可能なＰＤＮコネクションを決定する前記ステップは、具体的に、前記端末により、登録要求を送信するステップであって、前記登録要求は、前記端末の転送したいＰＤＮコネクションを前記５Ｇネットワークへ転送するために使用される対応するネットワークスライス情報を含み、前記端末の転送したい前記ＰＤＮコネクションは、前記確立されたＰＤＮコネクションのうちの一部又は全部である、ステップと、登録応答を受信するステップであって、前記登録応答は前記端末がアクセスを許可されたネットワークスライスのＳ−ＮＳＳＡＩを含む、ステップと、前記端末の転送したい前記ＰＤＮコネクションを前記５Ｇネットワークへ転送するために使用される対応するＳ−ＮＳＳＡＩと前記端末がアクセスを許可された前記ネットワークスライスの前記Ｓ−ＮＳＳＡＩとに基づき、前記５Ｇネットワークへ転送可能な前記ＰＤＮコネクションを決定するステップと、を含む。
【００１８】
留意すべきことに、前記端末が非ローミングシナリオ又はローカルブレイクアウト（Local  breakout,  LBO）ローミングシナリオにあるとき、前記端末の転送したい前記ＰＤＮコネクションを前記５Ｇネットワークへ転送するために使用される前記対応するネットワークスライス情報は、前記制御プレーン機能エンティティから前記端末により受信された前記ネットワークスライス情報である。
【００１９】
前記端末がホーム網への経路設定（Home  routed）シナリオにあるとき、前記端末の転送したい前記ＰＤＮコネクションを前記５Ｇネットワークへ転送するために使用される前記対応するネットワークスライス情報は、訪問先ＰＬＭＮネットワークスライス情報である。具体的に、前記ＰＤＵセッション確立要求を送信する前記ステップの前に、前記方法は、前記端末により、ホームＰＬＭＮネットワークスライスＳ−ＮＳＳＡＩと訪問先ＰＬＭＮネットワークスライスＳ−ＮＳＳＡＩとの間の前記マッピング関係に基づき、前記訪問先ＰＬＭＮネットワークスライス情報に、前記制御プレーン機能エンティティにより送信された前記ネットワークスライス情報をマッピングするステップ、を更に含む。
【００２０】
第２の態様によると、セッション確立方法が提供され、前記方法は、制御プレーン機能エンティティにより、端末へ、ＭＭＥを用いて、確立されたパケットデータネットワークＰＤＮコネクションを５Ｇネットワークへ転送するために使用される対応するネットワークスライス情報を送信するステップであって、前記確立されたＰＤＮコネクションを前記５Ｇネットワークへ転送するために使用される前記対応するネットワークスライス情報は、前記確立されたＰＤＮコネクションに対応するネットワークスライス単一ネットワークスライス選択支援情報Ｓ−ＮＳＳＡＩを含む、ステップと、前記端末によりＡＭＦを用いて送信されたパケットデータユニットＰＤＵセッション確立要求を送信するステップであって、前記ＰＤＵセッション確立要求は、第１ＰＤＮコネクションに対応するネットワークスライスＳ−ＮＳＳＡＩと、前記第１ＰＤＮコネクションを前記５Ｇネットワークへ転送するために使用される対応するデータネットワーク名ＤＮＮとを含み、前記第１ＰＤＮコネクションは前記確立されたＰＤＮコネクションのうちのいずれか１つである、ステップと、を含む。前記制御プレーン機能エンティティは、前記端末へ、前記確立されたＰＤＮコネクションを前記５Ｇネットワークへ転送するために使用される前記対応するネットワークスライス情報を送信し、その結果、前記５Ｇネットワークへハンドオーバされるとき、前記端末は、前記対応するネットワークスライス情報に基づき、５Ｇネットワークスライス内でＰＤＵセッションを確立してよい。
【００２１】
可能な実装では、前記確立されたパケットデータネットワークＰＤＮコネクションを前記５Ｇネットワークへ転送するために使用される前記対応するネットワークスライス情報は、プロトコル構成オプションＰＣＯメッセージで運ばれる。前記制御プレーン機能エンティティは、前記端末へ、前記ＰＣＯメッセージを用いて、前記確立されたＰＤＮコネクションを前記５Ｇネットワークへ転送するために使用される前記対応するネットワークスライス情報を送信する。具体的に、前記ＰＣＯメッセージは、４Ｇネットワーク内のモビリティ管理エンティティ（Mobility  Management  Entity,  MME）及び基地局により前記端末へ送信されてよい。前記確立されたパケットデータネットワークＰＤＮコネクションを前記５Ｇネットワークへ転送するために使用される前記対応するネットワークスライス情報は、前記ＰＣＯメッセージを用いて送信され、その結果、前記ＭＭＥは前記メッセージを透過的に送信し得るだけでなく、前記メッセージを格納する必要がない。
【００２２】
可能な実装では、前記制御プレーン機能エンティティは、具体的に、前記確立されたＰＤＮコネクションに対応するアクセスポイント名ＡＰＮに基づき、前記確立されたＰＤＮコネクションを前記５Ｇネットワークへ転送するために使用される前記対応するネットワークスライス情報を決定してよい。
【００２３】
可能な実装では、ホーム網への経路設定（Ｈｏｍｅ  ｒｏｕｔｅｄ）シナリオで、前記制御プレーン機能エンティティは、前記端末へ指示情報を更に送信し、前記指示情報は、前記制御プレーン機能エンティティにより送信された前記ネットワークスライス情報がホームＰＬＭＮネットワークスライス情報であることを示すために使用され、その結果、前記指示情報を受信した後に、前記端末は、前記制御プレーン機能エンティティから受信した前記ホームＰＬＭＮネットワークスライス情報を訪問先ＰＬＭＮネットワークスライス情報にマッピングする。
【００２４】
可能な実装では、前記確立されたＰＤＮコネクションがホーム網への経路設定（Ｈｏｍｅ  ｒｏｕｔｅｄ）シナリオで確立された場合、前記制御プレーン機能エンティティは、５Ｇネットワークへ前記確立されたＰＤＮコネクションを転送するために使用される対応するホームＰＬＭＮネットワークスライス情報を決定し、次に、５Ｇネットワークへ前記確立されたＰＤＮコネクションを転送するために使用される前記対応するホームＰＬＭＮネットワークスライス情報を、訪問先ＰＬＭＮネットワークスライス情報にマッピングし、前記端末へ、５Ｇネットワークへ前記確立されたＰＤＮコネクションを転送するために使用される前記対応するネットワークスライス情報として、５Ｇネットワークへ前記確立されたＰＤＮコネクションを転送するために使用される対応する訪問先ＰＬＭＮネットワークスライス情報を送信してよい。このように、前記端末により受信された全部のネットワークスライス情報は、直接使用でき、前記端末は、関連するローカルマッピングテーブルを構成する必要がなく、もはや、ＰＤＵセッションを確立するときに現在の状況がホーム網への経路設定（Ｈｏｍｅ  ｒｏｕｔｅｄ）シナリオか否かを決定する必要がない。
【００２５】
可能な実装では、前記確立されたＰＤＮコネクションを前記５Ｇネットワークへ転送するために使用される前記対応するネットワークスライス情報は、前記確立されたＰＤＮコネクションを前記５Ｇネットワークへ転送するために使用される対応するネットワークスライスインスタンス識別子ＮＳＩ−ＩＤを更に含む。１つより多くのネットワークスライスインスタンスが前記ネットワーク内の１つのＳ−ＮＳＳＡＩピースについて展開されるとき、前記制御プレーン機能エンティティにより前記端末へ送信され且つ前記５Ｇネットワークへ前記ＰＤＮコネクションを転送するために使用される前記対応するネットワークスライス情報は、対応するネットワークスライスインスタンス識別子を更に含み、それにより、前記ＰＤＮコネクションが転送された後に、セッション連続性を保証する。
【００２６】
可能な実装では、制御プレーン機能エンティティにより、端末へ、確立されたパケットデータネットワークＰＤＮコネクションを５Ｇネットワークへ転送するために使用される対応するネットワークスライス情報を送信する前記ステップの前に、前記方法は、前記制御プレーン機能エンティティにより、前記端末から、能力指示を受信するステップであって、前記能力指示は、前記端末が前記５Ｇネットワークへハンドオーバ可能であることを示すために使用される、ステップを含む。前記制御プレーン機能エンティティは、異なる端末に対してＰＤＮコネクションを同時に確立してよい。しかしながら、５Ｇネットワーク通信能力を有しない又は前記５Ｇネットワークへ転送される必要のない端末に対応するＰＤＮコネクションでは、前記制御プレーン機能エンティティは、前記端末へ、前記５Ｇネットワークへ前記ＰＤＮコネクションを転送するために使用される対応するネットワークスライス情報を送信する必要がない。
【００２７】
第３の態様によると、端末が提供され、前記端末は、第１の態様の方法を実装する機能を有する。該機能は、ハードウェアにより実装されてよく、又は対応するソフトウェアを実行するハードウェアにより実装されてよい。ハードウェア又はソフトウェアは、前述の機能に対応する１つ以上のモジュールを含む。
【００２８】
第４の態様によると、機器が提供され、プロセッサとメモリとを含み、前記メモリは、コンピュータ実行可能命令を格納するよう構成され、前記機器が起動すると、前記プロセッサが前記メモリに格納された前記コンピュータ実行可能命令を実行して、前記機器が第１の態様または第１の態様の実装のいずれか１つに記載のセッション確立方法を実行するようにする。前記機器は、具体的に、第１の態様又は第１の態様の実装のうちのいずれか１つによるセッション確立方法における端末、又は該端末内のチップであってよい。
【００２９】
第５の態様によると、コンピュータ可読記憶媒体が提供され、前記コンピュータ可読記憶媒体は命令を格納し、前記命令がコンピュータ上で実行すると、前記コンピュータは、第１の態様又は第１の態様の実装のうちのいずれか１つに記載のセッション確立方法を実行できる。
【００３０】
第６の態様によると、命令を含むコンピュータプログラムプロダクトが提供され、前記コンピュータプログラムプロダクトがコンピュータ上で実行すると、前記コンピュータは、第１の態様又は第１の態様の実装のうちのいずれか１つに記載のセッション確立方法を実行できる。
【００３１】
第３の態様乃至第６の態様のいずれかの設計方法によりもたらされる技術的効果については、第１の態様の異なる設計方法によりもたらされる技術的効果を参照する。詳細はここで再び記載されない。
【００３２】
第７の態様によると、制御プレーン機能エンティティが提供され、前記制御プレーン機能エンティティは、第２の態様の方法を実装する機能を有する。該機能は、ハードウェアにより実装されてよく、又は対応するソフトウェアを実行するハードウェアにより実装されてよい。ハードウェア又はソフトウェアは、前述の機能に対応する１つ以上のモジュールを含む。
【００３３】
第８の態様によると、機器が提供され、プロセッサとメモリとを含み、前記メモリは、コンピュータ実行可能命令を格納するよう構成され、前記機器が起動すると、前記プロセッサが前記メモリに格納された前記コンピュータ実行可能命令を実行して、前記機器が第２の態様又は第２の態様の実装のいずれか１つに記載のセッション確立方法を実行するようにする。
【００３４】
第９の態様によると、コンピュータ可読記憶媒体が提供され、前記コンピュータ可読記憶媒体は命令を格納し、前記命令がコンピュータ上で実行すると、前記コンピュータは、第２の態様又は第２の態様の実装のうちのいずれか１つに記載のセッション確立方法を実行できる。
【００３５】
第１０の態様によると、命令を含むコンピュータプログラムプロダクトが提供され、前記コンピュータプログラムプロダクトがコンピュータ上で実行すると、前記コンピュータは、第２の態様又は第２の態様の実装のうちのいずれか１つに記載のセッション確立方法を実行できる。
【００３６】
本願のこれらの態様または他の態様は、以下の実施形態の説明において、理解することがより明確且つより容易である。
【図面の簡単な説明】
【００３７】
【図１】４Ｇネットワークと５Ｇネットワークとの間のインターワーキングのアーキテクチャの概略図である。
【００３８】
【図２】本願の一実施形態による通信装置のハードウェア構造の概略図である。
【００３９】
【図３】本願の一実施形態によるセッション確立方法の概略フローチャート１である。
【００４０】
【図４】本願の一実施形態によるセッション確立方法の概略フローチャート２である。
【００４１】
【図５】本願の一実施形態による機器の概略構造図である。
【００４２】
【図６】本願の一実施形態による制御プレーン機能エンティティの概略構造図である。
【発明を実施するための形態】
【００４３】
本願の実施形態における技術的ソリューションの理解を容易にするために、以下は、先ず、本願に関連する技術を簡単に説明する。
【００４４】
ＮＳＳＡＩ：
【００４５】
ＮＳＳＡＩは、複数のＳ−ＮＳＳＡＩピースを含む。Ｓ−ＮＳＳＡＩは、スライス／サービスタイプ（slice/service  type,  SST）及びスライス区別子（slice  differentiator,  SD）を含む。ＳＳＴ及びＳＤは、標準で定められ又はオペレータによりカスタマイズされてよい。ＳＤは、同じスライス／サービスタイプの複数のネットワークスライスの中で区別するためにＳＳＴを補足する任意情報である。例えば、ＳＤは、ネットワークスライスの所有権を表すために使用されてよい。３ＧＰＰ  ＴＳ２３．５０１標準で定められたＮＳＳＡＩタイプ及び機能は、表１に示される。
【表１】
2021503783.tif 000003
【００４６】
本開示の実施形態で説明されるネットワークアーキテクチャ及びサービスシナリオは、本開示の実施形態における技術的ソリューションを一層明確に説明することを意図しており、本開示の実施形態で提供される技術的ソリューションに対する限定を構成しない。当業者は、ネットワークアーキテクチャの進化及び新しいサービスシナリオの出現に伴い、本開示の実施形態で提供される技術的ソリューションが同様の技術的問題にも適用されることを理解し得る。
【００４７】
本開示の一実施形態は、図１に示すような４Ｇネットワークと５Ｇネットワークとの間のインターワーキングのアーキテクチャ１００に適用されてよいモビリティ管理方法を提供する。図１に示すように、アーキテクチャ１００は、４Ｇネットワーク及び５Ｇネットワークにより共有される以下のエンティティを含む：ユーザプレーン機能（user  plane  function,  UPF）エンティティ＋ＰＤＮゲートウェイユーザプレーン機能（PDN  gateway  user  plane  function,  PGW−U）エンティティ、セッション管理機能（session  management  function,  SMF）エンティティ＋ＰＤＮゲートウェイ制御プレーン機能（PDN  gateway  control  plane  function,  PGW−C）エンティティ、ポリシ制御機能（policy  control  function,  PCF）エンティティ＋ポリシ及び課金ルール機能（policy  and  charging  rules  function,  PCRF）エンティティ、及びホームサブスクライバサーバ（home  subscriber  server,  HSS）＋統一データ管理（unified  data  management,  UDM）エンティティ。記号「＋」は、ここでは結合を表す。ＵＰＦは５Ｇネットワークのユーザプレーン機能である。ＰＧＷ−Ｕは、４ＧネットワークのＵＰＦに対応する、ゲートウェイユーザプレーン機能である。ＳＭＦは５Ｇネットワークのセッション管理機能である。ＰＧＷ−Ｃは、４ＧネットワークのＳＭＦに対応する、ゲートウェイ制御プレーン機能である。ＰＣＦは５Ｇネットワークのポリシ制御機能である。ＰＣＲＦは、４Ｇネットワークの、ＰＣＦに対応する、ポリシ及び課金ルール機能である。「結合」は、ここでは、単一の装置が２つのエンティティの機能を有することを意味する。本願の本実施形態では、説明を容易にするために、ＨＳＳ＋ＵＤＭエンティティは、ユーザデータ管理エンティティと呼ばれ、ＰＧＷ−Ｃエンティティ＋ＳＭＦエンティティは制御プレーン機能エンティティと呼ばれる。統一された説明がここでは行われ、詳細は以下で再び説明されない。もちろん、別の名称が代替として前述の結合を通じて取得されるネットワーク装置について使用されてよい。本願の本実施形態は、特定の限定をこれに課さない。
【００４８】
さらに、図１に示すように、４Ｇネットワークと５Ｇネットワークとの間のインターワーキングのためのアーキテクチャは、５Ｇネットワーク内に、ＭＭＥ、サービングゲートウェイ（Serving  Gateway,  SGW）、及びアクセス及びモビリティ管理機能（Access  and  Mobility  Management  Function,  AMF）を更に含んでよい。
【００４９】
端末は、進化型ユニバーサル地上波無線アクセスネットワーク（evolved  universal  terrestrial  radio  access  network,  E−UTRAN）装置を用いて、４Ｇネットワークにアクセスし、端末は、次世代無線アクセスネットワーク（next  generation  radio  access  network,  NG−RAN）装置を用いて５Ｇネットワークにアクセスする。Ｅ−ＵＴＲＡＮ装置は、Ｓ１−ＭＭＥインタフェースを通じてＭＭＥと通信する。Ｅ−ＵＴＲＡＮ装置は、Ｓ１−Ｕインタフェースを通じてＳＧＷと通信する。ＭＭＥは、Ｓ１１インタフェースを通じてＳＧＷと通信する。ＭＭＥは、Ｓ６ａインタフェースを通じてユーザデータ管理エンティティと通信する。ＭＭＥは、Ｎ２６インタフェースを通じてＡＭＦエンティティと通信する。ＳＧＷは、Ｓ５―Ｕインタフェースを通じてＰＧＷ−Ｕエンティティ＋ＵＰＦエンティティと通信する。ＳＧＷは、Ｓ５−Ｃインタフェースを通じてＰＧＷ−Ｃエンティティ＋ＳＭＦエンティティと通信する。ＰＧＷ−Ｕエンティティ＋ＵＰＦエンティティは、Ｎ３インタフェースを通じてＮＧ−ＲＡＮ装置と通信する。ＰＧＷ−Ｕエンティティ＋ＵＰＦエンティティは、Ｎ４インタフェースを通じてＰＧＷ−Ｃエンティティ＋ＳＭＦエンティティと通信する。ＰＧＷ−Ｃエンティティ＋ＳＭＦエンティティは、Ｎ７インタフェースを通じてＰＣＲＦエンティティ＋ＰＣＦエンティティと通信する。ＨＳＳ＋ＵＤＭエンティティは、Ｎ１０インタフェースを通じてＰＧＷ−Ｃエンティティ＋ＳＭＦエンティティと通信する。ＨＳＳ＋ＵＤＭエンティティは、Ｎ８インタフェースを通じてＡＭＦエンティティと通信する。ＰＣＲＦエンティティ＋ＰＣＦエンティティは、Ｎ１５インタフェースを通じてＡＭＦエンティティと通信する。ＰＧＷ−Ｃエンティティ＋ＳＭＦエンティティは、Ｎ１１インタフェースを通じてＡＭＦエンティティと通信する。ＡＭＦエンティティは、Ｎ２インタフェースを通じてＮＧ−ＲＡＮ装置と通信する。ＡＭＦエンティティは、Ｎ１インタフェースを通じて端末と通信する。
【００５０】
留意すべきことに、図１のネットワーク要素間のインタフェースの名称は単なる例であり、インタフェース名は特定の実装では他の名称であってよい。本願の本実施形態は、特定の限定をこれに課さない。
【００５１】
留意すべきことに、５ＧネットワークのＮＧ−ＲＡＮ装置は、アクセス装置とも呼ばれてよい。アクセス装置は、コアネットワークにアクセスする装置であり、例えば、基地局、広帯域ネットワークゲートウェイ（broadband  network  gateway,  BNG）、アグリゲーションスイッチ、又は非３ＧＰＰアクセス装置であってよい。基地局は、種々の形式の基地局、例えば、マクロ基地局、マイクロ基地局（スモールセルとも呼ばれる）、中継局、又はアクセスポイントであってよい。本願の本実施形態は、特定の限定をこれに課さない。
【００５２】
もちろん、４Ｇネットワーク及び５Ｇネットワークの中の他のネットワーク要素が更に存在してよい。例えば、４Ｇネットワークは、サービング汎用パケット無線システム（general  packet  radio  system,  GPRS）サポートノード（serving  GPRS  support  node,  SGSN）等を更に含んでよく、５Ｇネットワークは、認証サーバ機能（authentication  server  function,  AUSF）エンティティ、ネットワークスライス選択機能（network  slice  selection  function,  NSSF）エンティティ等を更に含んでよい。本願の本実施形態は、特定の限定をこれに課さない。
【００５３】
４ＧネットワークにおけるＰＤＮコネクションは、結合ＰＧＷ−Ｃ／ＳＭＦ（つまり、制御プレーン機能エンティティ）及び結合ＰＧＷ−Ｕ／ＵＰＦによりサービスされるので、端末が４Ｇネットワークから５Ｇネットワークへ転送されるとき、ＰＤＵセッションは、ＰＧＷ−Ｃ／ＳＭＦ及びＰＧＷ−Ｕ／ＵＰＦにより依然としてサービスされている。言い換えると、セッションサービスアンカーは、転送の前後で不変のままであり、その結果、セッションのＩＰアドレスは不変のままである。本願の本実施形態では、ＵＥが４ＧネットワークにアクセスしＰＤＮコネクションを確立するとき、制御プレーン機能エンティティは、端末へ、端末により確立されたＰＤＮコネクションを５Ｇネットワークへ転送するために使用される対応するネットワークスライス情報を送信する。端末が後に５Ｇカバレッジエリアへ移動するとき、端末は、５Ｇネットワークへ送信されるべき登録要求に、５Ｇネットワークへ確立されたＰＤＮコネクションを転送するために使用される対応するネットワークスライス情報を追加する。５Ｇネットワークは、確立されたＰＤＮコネクションに対応するネットワークスライス情報に基づき、ＵＥにサービスするＡＭＦ及び許可ＮＳＳＡＩを決定し、許可ＮＳＳＡＩを端末へ送信する。端末は、許可ＮＳＳＡＩ及び４Ｇネットワークにおいて端末により確立されたＰＤＮコネクションを５Ｇネットワークへ転送するために使用される対応するネットワークスライス情報に基づき、５Ｇネットワークへ転送可能な確立されたＰＤＮコネクションを決定してよい。５Ｇネットワークへ転送可能なＰＤＮコネクションについて、ネットワーク間のセッション転送を完了するために、端末は、ＰＤＵセッション確立を開始する。
【００５４】
本願の本実施形態における端末（terminal）は、無線通信機能を有する種々の装置、例えば、ハンドヘルド装置、車内装置、ウェアラブル装置、コンピューティング装置、又は無線モデムに接続された別の処理装置であってよく、又は加入者ユニット（subscriber  unit）、セルラ電話機（cellular  phone）、スマートフォン（smart  phone）、無線データカード、パーソナルデジタルアシスタント（personal  digital  assistant,  PDA）コンピュータ、タブレットコンピュータ、無線モデム（modem）、ハンドヘルド（handheld）装置、ラップトップコンピュータ（laptop  computer）、コードレス電話機（cordless  phone）、又は無線ローカルループ（wireless  local  loop,  WLL）局、機械型通信（machine  type  communication,  MTC）端末、ユーザ機器（user  equipment,  UE）、移動局（mobile  station,  MS）、端末装置（terminal  device）等であってよい。説明を容易にするために、本願では、前述の装置は集合的に端末と呼ばれる。
【００５５】
以下は、本願の実施形態における添付の図面を参照して、本願の実施形態における技術的ソリューションを説明する。本願の説明では、「複数の」は、特に断りのない限り、少なくとも２つを意味する。さらに、本願の実施形態の技術的ソリューションをより明確に説明するために、「第１」及び「第２」のような用語は、本願の実施形態において、基本的に同じ機能及び目的を有する同じアイテム又は同様のアイテムの間を区別するために使用される。当業者は、「第１」及び「第２」のような用語が数量及び実行順を限定することを意図しないこと、及び、「第１」及び「第２」のような用語が明確な相違を示さないことを理解し得る。
【００５６】
図２に示すように、端末、ＭＭＥ、ＡＭＦ、ＳＭＦエンティティ＋ＰＧＷ−Ｃエンティティ、Ｅ−ＵＴＲＡＮ装置、又はＮＧ−ＲＡＮ装置のような図１に示したノードは、図２において通信装置（又はシステム）により実装されてよい。
【００５７】
図２は、本願の一実施形態による通信装置のハードウェア構造の概略図である。通信装置２００は、少なくとも１つのプロセッサ２０１、通信線２０２、メモリ２０３、及び少なくとも１つの通信インタフェース２０４を含む。
【００５８】
プロセッサ２０１は、汎用中央処理ユニット（central  processing  unit,  CPU）、マイクロプロセッサ、特定用途向け集積回路（application−specific  integrated  circuit,  ASIC）、又は本願のソリューションのプログラムの実行を制御するよう構成される１つ以上の集積回路であってよい。
【００５９】
通信線２０２は、前述のコンポーネント間で情報を送信するために使用されるチャネルを含んでよい。
【００６０】
通信インタフェース２０４は、トランシーバのような任意の機器を用いて、別の装置、又はイーサネット、無線アクセスネットワーク（radio  access  network,  RAN）又は無線ローカルエリアネットワーク（wireless  local  area  network,  WLAN）のような通信ネットワークと通信するよう構成される。
【００６１】
メモリ２０３は、読み出し専用メモリ（read−only  memory,  ROM）、静的情報及び命令を格納できる別の種類の静的記憶装置、ランダムアクセスメモリ（random  access  memory,  RAM）、又は情報及び命令を格納できる別の種類の動的記憶装置であってよく、又は電気的消去可能なプログラマブル読み出し専用メモリ（electrically  erasable  programmable  read−only  memory,  EEPROM）、コンパクトディスク読み出し専用メモリ（compact  disc  read−only  memory,  CD−ROM）、又は別の光ディスク記憶装置、光ディスク記憶装置（コンパクト光ディスク、レーザディスク、光ディスク、デジタルバーサタイルディスク、ブルーレイディスク、等を含む）、磁気ディスク記憶媒体又は別の磁気記憶装置、又は命令若しくはデータ構造の形式で期待されるプログラムコードを運び又は格納するよう構成でき且つコンピュータによりアクセス可能な任意の他の媒体であってよい。しかしながら、これは限定を構成しない。メモリは、独立に存在してよく、通信線２０２を用いてプロセッサに接続される。代替として、メモリは、プロセッサに統合されてよい。
【００６２】
メモリ２０３は、本願のソリューションを実行するためのコンピュータ実行可能命令を格納するよう構成され、プロセッサ２０１は、コンピュータ実行可能命令の実行を制御する。プロセッサ２０１は、本願の以下の実施形態で提供されるセッション確立方法を実施するために、メモリ２０３に格納されたコンピュータ実行可能命令を実行するよう構成される。
【００６３】
任意で、本願の本実施形態におけるコンピュータ実行可能命令は、アプリケーションプログラムコードとも呼ばれてよい。本願の本実施形態は、特定の限定をこれに課さない。
【００６４】
特定の実装では、一実施形態において、プロセッサ２０１は、図２のＣＰＵ０及びＣＰＵ１のような１つ以上のＣＰＵを含んでよい。
【００６５】
特定の実装では、一実施形態において、通信装置２００は、図２のプロセッサ２０１及びプロセッサ２０８のような複数のプロセッサを含んでよい。プロセッサの各々は、シングルコア（single−CPU）プロセッサであってよく、又はマルチコア（multi−CPU）プロセッサであってよい。プロセッサは、ここでは、データ（例えば、コンピュータプログラム命令）を処理するよう構成される１つ以上の装置、回路、及び／又は処理コアであってよい。
【００６６】
特定の実装では、一実施形態において、通信装置２００は、出力装置２０５及び入力装置２０６を更に含んでよい。出力装置２０５は、プロセッサ２０１と通信し、複数の方法で情報を表示してよい。例えば、出力装置２０５は、液晶ディスプレイ（liquid  crystal  display,  LCD）、発光ダイオード（light  emitting  diode,  LED）ディスプレイ装置、陰極線管（cathode  ray  tube,  CRT）ディスプレイ装置、又はプロジェクタ（projector）であってよい。入力装置２０６は、プロセッサ２０１と通信し、複数の方法でユーザ入力を受信してよい。例えば、入力装置２０６は、マウス、キーボード、タッチスクリーン装置、又はセンサ装置であってよい。
【００６７】
通信装置２００は、汎用装置又は専用装置であってよい。特定の実装では、通信装置２００は、デスクトップコンピュータ、ポータブルコンピュータ、ネットワークサーバ、パーソナルデジタルアシスタント（personal  digital  assistant,  PDA）、モバイル電話機、タブレットコンピュータ、無線端末装置、埋め込み型装置、又は図２におけるものと同様の構造を有する装置であってよい。通信装置２００の種類は、本願の本実施形態で限定されない。
【００６８】
以下は、本願の一実施形態で提供されるセッション確立方法を、図１及び図２を参照して詳細に説明する。
【００６９】
図３は、本願の一実施形態で提供されるセッション確立方法を示す。本実施形態では、端末は、先ず、Ｅ−ＵＴＲＡＮ装置を用いて４Ｇネットワークにアクセスし、４ＧネットワークにおいてＰＤＮコネクションを確立する。続いて、端末は５Ｇサービス範囲へ移動するので、端末はＮＧ−ＲＡＮ装置を用いて５Ｇネットワークにアクセスする。本願の本実施形態は、非ローミングシナリオ又はＬＢＯローミングシナリオに適用可能である。方法は、以下のステップを含む。
【００７０】
ステップ３０１。端末は、４ＧネットワークでＰＤＮコネクションを確立する。
【００７１】
ＰＤＮコネクションは、アタッチメント処理で確立されてよく、又はＰＤＮコネクションの確立はアタッチメント後に端末により開始されてよい。ＰＤＮコネクション確立処理については、既存のプロトコルを参照する。詳細はここで再び記載されない。
【００７２】
任意で、端末がＰＤＮコネクションを確立するとき、端末は、端末が後に５Ｇネットワークへ転送されてよいことを決定し、例えば、端末が５Ｇネットワークをサポート可能であると決定し、端末は、能力指示を制御プレーン機能エンティティへ送信する。能力指示は、端末が５Ｇネットワークへ後に転送可能であることを示すために使用される。能力指示は、端末が５Ｇをサポートすることを示す（例えば、端末が５Ｇ  ＮＡＳをサポートすることを示す）能力情報であってよい。端末により、能力指示を制御プレーン機能エンティティへ送信するステップは、具体的に、端末が４Ｇネットワークにアタッチされるとき、端末により、能力指示をＭＭＥへ送信するステップであって、その結果、ＰＤＮコネクション確立処理において、ＭＭＥは、能力指示を制御プレーン機能エンティティへＳＧＷを用いて送信する、ステップ、又は、端末により、プロトコル構成オプション（protocol  configuration  option,  PCO）メッセージを制御プレーン機能エンティティへ送信するステップであって、ＰＣＯメッセージは能力指示を運ぶ、ステップ、を含む。
【００７３】
留意すべきことに、端末は、４Ｇネットワークにおいて１つ以上のＰＤＮコネクションを確立してよく、１つ以上のＰＤＮコネクションは１つ以上の制御プレーン機能エンティティによりサービスされてよい。本願の本実施形態は、限定をこれに課さない。説明を容易にするために、端末が１つ以上のＰＤＮコネクションを１つの制御プレーン機能エンティティのみを使用して確立する一例が、本願の本実施形態で使用される。
【００７４】
ステップ３０２。制御プレーン機能エンティティは、５Ｇネットワークへ確立されたＰＤＮコネクションを転送するために使用される対応するネットワークスライス情報を取得し、ネットワークスライス情報を端末へ送信する。その結果、端末は、５Ｇネットワークへ確立されたＰＤＮコネクションを転送するために使用される対応するネットワークスライス情報を受信する。
【００７５】
確立されたＰＤＮコネクションは、１つ以上のＰＤＮコネクションを含む。実際の展開では、５Ｇネットワーク内の全部のＰＤＵセッションは、ネットワークスライスインスタンスに関連付けられる。１つのネットワークスライスインスタンスは、ネットワークスライスインスタンス識別子（network  slice  instance  ID,  NSI−ID）により示されてよい。Ｓ−ＮＳＳＡＩにより識別される１つのネットワークスライスは、複数のネットワークスライスインスタンスを有してよい（例えば、異なるネットワークスライスインスタンスはロードバランスを実施するために使用されてよい）。さらに、１つのネットワークスライスインスタンスは、１つ以上のデータネットワークをサポートしてよい。データネットワークは、データネットワーク名（Data  Network  Name,  DNN）により識別されてよい。
【００７６】
したがって、ネットワーク展開状態に基づき、４Ｇネットワークにおいて端末により確立されたＰＤＮコネクションを、５Ｇネットワーク内のネットワークスライスインスタンス内のＰＤＵセッションへ転送するために、５ＧネットワークへＰＤＮコネクションを転送するために使用される且つ制御プレーン機能エンティティにより端末へ送信される対応するネットワークスライス情報は、異なる内容を含んでよい。制御プレーン機能エンティティは、ネットワークスライスインスタンス内に位置するので、制御プレーン機能エンティティが複数のネットワークスライスをサポートするとき、制御プレーン機能エンティティは、制御プレーン機能エンティティによりサポートされる異なるネットワークスライスインスタンスに対応するＳ−ＮＳＳＡＩ、ネットワークスライスインスタンス識別子ＮＳＩ−ＩＤ、及びネットワークスライスインスタンスによりサポートされる１つ以上のデータネットワークの１つ以上の名称を取得してよい。５Ｇネットワークへ確立されたＰＤＮコネクションを転送するために使用される対応するネットワークスライス情報は、５Ｇネットワークへ確立されたＰＤＮコネクションを転送するために使用される対応するネットワークスライスＳ−ＮＳＳＡＩを含み、任意で、５Ｇネットワークへ確立されたＰＤＮコネクションを転送するために使用される対応するネットワークスライスインスタンス識別子ＮＳＩ−ＩＤを更に含む。５Ｇネットワークへ端末をハンドオーバするために使用されるＤＮＮが４ＧネットワークにおけるＡＰＮと異なるとき、任意で、制御プレーン機能エンティティは、更に、５Ｇネットワークへ端末を転送するために使用されるＤＮＮを取得し、ＤＮＮを端末へ送信する必要がある。詳細は以下に説明される。
【００７７】
可能な実装では、ネットワーク展開状態に基づき、ＰＤＮコネクションとＳ−ＮＳＳＡＩとの間の対応は、制御プレーン機能エンティティにおいて予め構成される。制御プレーン機能エンティティにより、５Ｇネットワークへ確立されたＰＤＮコネクションを転送するために使用される対応するネットワークスライス情報を取得するステップは、制御プレーン機能エンティティにより、確立されたＰＤＮコネクションに関する情報及びＰＤＮコネクションとＳ−ＮＳＳＡＩとの間の予め構成された対応とに基づき、確立されたＰＤＮコネクションに対応するネットワークスライスＳ−ＮＳＳＡＩを取得するステップを含む。このネットワーク展開では、５ＧネットワークへＰＤＮコネクションを転送するために使用されるＤＮＮは、４ＧネットワークにおけるＡＰＮと同じであり、１つのネットワークスライスインスタンスのみが各Ｓ−ＮＳＳＡＩピースについて展開される。
【００７８】
例えば、ＰＤＮコネクションとＳ−ＮＳＳＡＩとの間の予め構成された対応は表２に示されると仮定する。
【表２】
2021503783.tif 000004
【００７９】
別の可能な実装では、ネットワーク展開状態に基づき、ＰＤＮコネクションとＳ−ＮＳＳＡＩ／ＤＮＮとの間の対応は、制御プレーン機能エンティティにおいて予め構成される。制御プレーン機能エンティティにより、５Ｇネットワークへ確立されたＰＤＮコネクションを転送するために使用される対応するネットワークスライス情報を取得するステップは、制御プレーン機能エンティティにより、確立されたＰＤＮコネクションに関する情報及びＰＤＮコネクションとＳ−ＮＳＳＡＩ／ＤＮＮとの間の予め構成された対応とに基づき、５Ｇネットワークへ確立されたＰＤＮコネクションを転送するために使用される対応するネットワークスライスＳ−ＮＳＳＡＩ、及び５Ｇネットワークへ確立されたＰＤＮコネクションを転送するために使用されるＤＮＮを取得するステップを含む。このネットワーク展開では、５ＧネットワークへＰＤＮコネクションを転送するために使用されるＤＮＮは、４ＧネットワークにおけるＡＰＮと異なってよく、１つのネットワークスライスインスタンスのみが各Ｓ−ＮＳＳＡＩピースについて展開される。
【００８０】
例えば、ＰＤＮコネクションとＳ−ＮＳＳＡＩ／ＤＮＮとの間の予め構成された対応は表３に示されると仮定する。
【表３】
2021503783.tif 000005
【００８１】
別の可能な実装では、ネットワーク展開状態に基づき、ＰＤＮコネクションとＳ−ＮＳＳＡＩ／ＤＮＮ／ＮＳＩ−ＩＤとの間の対応は、制御プレーン機能エンティティにおいて予め構成される。制御プレーン機能エンティティにより、５Ｇネットワークへ確立されたＰＤＮコネクションを転送するために使用される対応するネットワークスライス情報を取得するステップは、制御プレーン機能エンティティにより、確立されたＰＤＮコネクションに関する情報及びＰＤＮコネクションとＳ−ＮＳＳＡＩ／ＤＮＮ／ＮＳＩ−ＩＤとの間の予め構成された対応とに基づき、５Ｇネットワークへ確立されたＰＤＮコネクションを転送するために使用される対応するネットワークスライスＳ−ＮＳＳＡＩ、５Ｇネットワークへ確立されたＰＤＮコネクションを転送するために使用されるＤＮＮ、及び５Ｇネットワークへ確立されたＰＤＮコネクションを転送するために使用される対応するネットワークスライスインスタンス識別子ＮＳＩ−ＩＤを取得するステップを含む。このネットワーク展開では、５ＧへＰＤＮコネクションを転送するために使用されるＤＮＮは、４ＧネットワークにおけるＡＰＮと異なってよく、１つより多くのネットワークスライスインスタンスが各Ｓ−ＮＳＳＡＩピースについて展開されてよい。
【００８２】
例えば、ＰＤＮコネクションとＳ−ＮＳＳＡＩ／ＤＮＮ／ＮＳＩ−ＩＤとの間の予め構成された対応は表４に示されると仮定する。
【表４】
2021503783.tif 000006
【００８３】
ＰＤＮコネクションは、ＰＤＮコネクションに対応するＡＰＮにより表されてよい。言い換えると、確立されたＰＤＮコネクションに関する情報は、具体的に、確立されたＰＤＮコネクションに対応するＡＰＮを含んでよい。任意で、ＰＤＮコネクションは、ＰＤＮコネクションに対応するＡＰＮ及び関連するサブスクリプション情報により表されてよい。ＰＤＮコネクション情報の特定の形式は、本願の本実施形態で限定されない。
【００８４】
特定の実装では、ＰＤＮコネクション確立応答の中で又は端末のアタッチメント応答の中で、制御プレーン機能エンティティは、端末へ、ＰＣＯメッセージを用いて、５Ｇネットワークへ確立されたＰＤＮコネクションを転送するために使用される対応するネットワークスライス情報を送信してよい。任意で制御プレーン機能エンティティにより端末へ送信される、ＰＣＯメッセージは、５Ｇネットワークへ確立されたＰＤＮコネクションを転送するために使用されるＤＮＮを更に含む。
【００８５】
ステップ３０３。端末が５Ｇネットワークのカバレッジエリアへ移動するとき、端末は、登録要求を開始する。登録要求は、端末の転送する必要のあるＰＤＮコネクションを５Ｇネットワークへ転送するために使用される対応するネットワークスライス情報を含む。登録要求は、アクセス装置（例えば基地局）を用いることによりＡＭＦへ送信される。その結果、ＡＭＦは登録要求を受信し、端末の転送する必要のあるＰＤＮコネクションは確立されたＰＤＮコネクションのうちの一部又は全部である。
【００８６】
具体的に、ステップ３０２で、制御プレーン機能エンティティから、５Ｇネットワークへ確立されたＰＤＮコネクションを転送するために使用される対応するネットワークスライス情報を受信するステップの後に、端末は、端末のポリシ要件に従い、端末の転送する必要のあるＰＤＮコネクション、及び端末の転送する必要のあるＰＤＮコネクションを５Ｇネットワークへ転送するために使用される対応するネットワークスライス情報を決定する。例えば、ユーザは、端末にインストールされたＡＰＰ１及びＡＰＰ２を用いて、それぞれＰＤＮコネクション１及びＰＤＮコネクション２の確立をトリガする。制御プレーン機能エンティティは、端末へ、５ＧネットワークへＰＤＮコネクション１を転送するために使用される対応するネットワークスライス情報、及び５ＧネットワークへＰＤＮコネクション２を転送するために使用される対応するネットワークスライス情報を返す。この場合、端末が、転送ポリシ（これは、ユーザにより設定されてよく、又はＡＰＰ固有であってよい）がＡＰＰ１及びＡＰＰ２について設定されていることを検出した場合、例えば、ＡＰＰ１は５Ｇネットワークへ転送されることが禁止され、ＡＰＰ２は、５Ｇカバレッジが存在するとき５Ｇネットワークへ優先的に転送される場合、端末は、ＰＤＮコネクション２が端末の転送する必要のあるＰＤＮコネクションであり、５ＧネットワークへＰＤＮコネクション２を転送するために使用される対応するネットワークスライス情報が端末の転送する必要のあるＰＤＮコネクションを５Ｇネットワークへ転送するために使用される対応するネットワークスライス情報であると決定する。
【００８７】
具体的に、端末が５Ｇネットワークへの登録要求を開始するとき、登録要求がＳ−ＮＳＳＡＩを運ぶ場合、アクセス装置は、登録要求で運ばれるＳ−ＮＳＳＡＩに基づき、ＡＭＦを選択する。本願の本実施形態では、端末は、登録要求に、端末の転送する必要のあるＰＤＮコネクションを５Ｇネットワークへ転送するために使用される対応するネットワークスライスＳ−ＮＳＳＡＩを追加する。任意で、登録要求は、端末により要求される他のＳ−ＮＳＳＡＩを更に運んでよい。アクセス装置は、端末の転送する必要のあるＰＤＮコネクションを５Ｇネットワークへ転送するために使用される対応するネットワークスライスＳ−ＮＳＳＡＩ、及び端末により要求される他のＳ−ＮＳＳＡＩに基づき、ＡＭＦを選択し、登録要求を選択したＡＭＦへ転送する。その結果、ＡＭＦは端末により送信された登録要求を受信する。
【００８８】
具体的に、端末は、端末の転送する必要のあるＰＤＮコネクションを５Ｇネットワークへ転送するために使用される対応するネットワークスライスＳ−ＮＳＳＡＩ、及び端末により要求される他のＳ−ＮＳＳＡＩの両方を、「ｒｅｑｕｅｓｔｅｄ  ＮＳＳＡＩ」に追加し、「ｒｅｑｕｅｓｔｅｄ  ＮＳＳＡＩ」をＡＭＦへ送信してよい。さらに、端末は、確立されたＰＤＮコネクションに対応するＳ−ＮＳＳＡＩのＡＭＦを「ｒｅｑｕｅｓｔｅｄ  ＮＳＳＡＩ」の中で通知する。代替として、端末は、他の要求されるＳ−ＮＳＳＡＩを「ｒｅｑｕｅｓｔｅｄ  ＮＳＳＡＩ」の中に置き、他の独立ＮＳＳＡＩの中に、端末の転送する必要のあるＰＤＮコネクションを５Ｇネットワークへ転送するために使用される対応するネットワークスライスＳ−ＮＳＳＡＩを置き、他の独立ＮＳＳＡＩをＡＭＦへ送信する。端末により、登録要求を用いてＡＭＦへ、端末の転送する必要のあるＰＤＮコネクションを５Ｇへ転送するために使用される対応するネットワークスライスＳ−ＮＳＳＡＩを送信する方法は、本願の本実施形態で限定されない。
【００８９】
任意で、登録要求は、端末の識別子を更に含む。端末から登録要求を受信した後に、ＡＭＦは、認証のような処理を端末に対して実行し、最終的に端末の永久識別子（SUPI,  Subscription  Permanent  Identifier）を取得してよい。詳細については、関連する標準プロトコルを参照する。詳細は、本願の本実施形態において再び説明されない。
【００９０】
ステップ３０４。ＡＭＦは、端末のサブスクリプションデータを取得する。ここで、端末のサブスクリプションデータは、端末のネットワークスライスサブスクリプションデータ、及び端末の転送する必要のあるＰＤＮコネクションに対応するＡＰＮと制御プレーン機能エンティティの識別子との間の対応を含む。
【００９１】
具体的に、ＡＭＦは、登録要求の中の端末識別子（又はＳＵＰＩ）に基づき、端末のサブスクリプションデータを取得する。ＡＭＦは、端末のサブスクリプションデータをローカルで優先的に取得する。端末のローカルサブスクリプションデータが存在しない場合、ＡＭＦは、端末のサブスクリプションデータをユーザデータ管理エンティティから取得する。任意で、ＡＭＦは、端末に対応するコンテキストに、端末のサブスクリプションデータを更に格納する。
【００９２】
端末のネットワークスライスサブスクリプションデータは、加入したネットワークスライスに対応するＳ−ＮＳＳＡＩを含み、任意で、加入したネットワークスライスに対応するＤＮＮのような情報を更に含む。
【００９３】
ステップ３０５。ＡＭＦは、端末がアクセスを許可されたネットワークスライスに対応するＳ−ＮＳＳＡＩ（つまり、Ａｌｌｏｗｅｄ  ＮＳＳＡＩ）を取得する。
【００９４】
具体的に、ＡＭＦは、端末の転送する必要のあるＰＤＮコネクションを５Ｇネットワークへ転送するために使用される対応するネットワークスライス情報及び端末のサブスクリプションデータのような情報に基づき、Ａｌｌｏｗｅｄ  ＮＳＳＡＩを取得してよい。
【００９５】
可能な実装では、ＡＭＦは、端末の転送する必要のあるＰＤＮコネクションを５Ｇネットワークへ転送するために使用される対応するネットワークスライス情報及び端末のサブスクリプションデータのような情報に基づき、Ａｌｌｏｗｅｄ  ＮＳＳＡＩを決定する。任意で、ＡＭＦは、代替として、端末により要求された他のＳ−ＮＳＳＡＩに基づき、Ａｌｌｏｗｅｄ  ＮＳＳＡＩを決定してよい。
【００９６】
例えば、端末の転送する必要のあるＰＤＮコネクションを５Ｇネットワークへ転送するために使用される対応するネットワークスライス情報が、端末の転送する必要のあるＰＤＮコネクションを５Ｇネットワークへ転送するために使用される対応するネットワークスライスＳ−ＮＳＳＡＩを含むとき、ＡＭＦは、端末の転送する必要のあるＰＤＮコネクションに対応するネットワークスライスＳ−ＮＳＳＡＩ及び端末により要求された他のＳ−ＮＳＳＡＩの結合を取得し、次に、該結合の交点、端末の加入しているネットワークスライスに対応するＳ−ＮＳＳＡＩ、及びＡＭＦによりサポートされるネットワークスライスに対応するＳ−ＮＳＳＡＩを取得して、Ａｌｌｏｗｅｄ  ＮＳＳＡＩを決定する。端末の転送する必要のあるＰＤＮコネクションを５Ｇネットワークへ転送するために使用される対応するネットワークスライス情報が、端末の転送する必要のあるＰＤＮコネクションに対応するネットワークスライスＳ−ＮＳＳＡＩ、及び端末の転送する必要のあるＰＤＮコネクションを５Ｇへ転送するために使用される対応するネットワークスライスインスタンス識別子ＮＳＩ−ＩＤを含むとき、前述の決定に加えて、ＡＭＦは、さらに、端末の転送する必要のあるＰＤＮコネクションを５Ｇネットワークへ転送するために使用されるネットワークスライスインスタンス識別子ＮＳＩ−ＩＤに基づき、ＡＭＦのサービスできないネットワークスライスインスタンスに対応するＰＤＮコネクションを削除する。
【００９７】
例えば、端末の転送する必要のあるＰＤＮコネクションに対応するネットワークスライスＳ−ＮＳＳＡＩは、Ｓ−ＮＳＳＡＩ１及びＳ−ＮＳＳＡＩ２を含み、端末により要求された他のＳ−ＮＳＳＡＩは、Ｓ−ＮＳＳＡＩ３及びＳ−ＮＳＳＡＩ４を含み、端末の加入しているネットワークスライスに対応するＳ−ＮＳＳＡＩは、Ｓ−ＮＳＳＡＩ１、Ｓ−ＮＳＳＡＩ３、及びＳ−ＮＳＳＡＩ５を含み、ＡＭＦによりサポートされるネットワークスライスに対応するＳ−ＮＳＳＡＩは、Ｓ−ＮＳＳＡＩ１、Ｓ−ＮＳＳＡＩ１２、Ｓ−ＮＳＳＡＩ１３、Ｓ−ＮＳＳＡＩ１４、及びＳ−ＮＳＳＡＩ１５を含む。次に、ＡＭＦは、端末の転送する必要のあるＰＤＮコネクションに対応するネットワークスライスＳ−ＮＳＳＡＩ及び端末により要求された他のＳ−ＮＳＳＡＩの結合：Ｓ−ＮＳＳＡＩ１、Ｓ−ＮＳＳＡＩ２、Ｓ−ＮＳＳＡＩ３、及びＳ−ＮＳＳＡＩ４を取得し、次に、該結合の交点、端末の加入しているネットワークスライスに対応するＳ−ＮＳＳＡＩ、及びＡＭＦによりサポートされるネットワークスライスに対応するＳ−ＮＳＳＡＩ：Ｓ−ＮＳＳＡＩ１及びＳ−ＮＳＳＡＩ３を取得し、それにより、Ａｌｌｏｗｅｄ  ＮＳＳＡＩがＳ−ＮＳＳＡＩ１及びＳ−ＮＳＳＡＩ３を含むことを決定する。
【００９８】
別の可能な実装では、ＡＭＦは、端末のためにＡｌｌｏｗｅｄ  ＮＳＳＡＩを決定するために、ネットワークスライス選択機能（network  slice  selection  function,  NSSF）エンティティを要求する。具体的に、ＡＭＦは、ＮＳＳＦにスライス選択要求を送信する。スライス選択要求は、端末の転送する必要のあるＰＤＮコネクションを５Ｇネットワークへ転送するために使用される対応するネットワークスライス情報及び端末のサブスクリプションデータを含み、任意で、端末により要求された他のＳ−ＮＳＳＡＩを更に含む。ＮＳＳＦは、端末の転送する必要のあるＰＤＮコネクションを５Ｇネットワークへ転送するために使用される対応するネットワークスライス情報及び端末のサブスクリプションデータに基づき、任意で、端末により要求された他のＳ−ＮＳＳＡＩに更に基づき、Ａｌｌｏｗｅｄ  ＮＳＳＡＩ及びＡｌｌｏｗｅｄ  ＮＳＳＡＩに対応する目標ＡＭＦセットを決定する。具体的に、端末の転送する必要のあるＰＤＮコネクションを５Ｇネットワークへ転送するために使用される対応するネットワークスライス情報が、端末の転送する必要のあるＰＤＮコネクションを５Ｇネットワークへ転送するために使用される対応するネットワークスライスＳ−ＮＳＳＡＩを含むとき、ＮＳＳＦは、端末の転送する必要のあるＰＤＮコネクションを５Ｇネットワークへ転送するために使用される対応するネットワークスライスＳ−ＮＳＳＡＩ及び端末により要求された他のＳ−ＮＳＳＡＩの結合を取得し、次に、結合の交点、及び端末の加入したネットワークスライスに対応するＳ−ＮＳＳＡＩを取得し、次に、端末の位置及びネットワーク内のＡＭＦ展開状態のような情報に基づき、Ａｌｌｏｗｅｄ  ＮＳＳＡＩ及びＡｌｌｏｗｅｄ  ＮＳＳＡＩに対応する目標ＡＭＦセットを決定する。Ａｌｌｏｗｅｄ  ＮＳＳＡＩは、第１ＮＳＳＡＩの一部又は全部である。目標ＡＭＦセットの中の任意のＡＭＦがＡｌｌｏｗｅｄ  ＮＳＳＡＩに対応する任意のネットワークスライスにサービスできる。任意で、ＮＳＳＦは、目標ＡＭＦセットから目標ＡＭＦを選択してよい。
【００９９】
ＮＳＳＦは、Ａｌｌｏｗｅｄ  ＮＳＳＡＩ及び目標ＡＭＦセット（又は目標ＡＭＦセットから選択された目標ＡＭＦ）をＡＭＦへ送信する。本願の本実施形態では、ＡＭＦ及びＮＳＳＦは、代替として、別の方法を用いてＡｌｌｏｗｅｄ  ＮＳＳＡＩを決定してよい。ＡＭＦ及びＮＳＳＦによりＡｌｌｏｗｅｄ  ＮＳＳＡＩを決定する方法は、本願の本実施形態において限定されない。
【０１００】
ＡＭＦは、目標ＡＭＦセットまたはＮＳＳＦにより返される目標ＡＭＦに基づき、端末が処理のために別のＡＭＦにリダイレクトされる必要があるか否かを決定する。端末が別のＡＭＦにリダイレクトされる必要がある場合、ＡＭＦは、端末を別のＡＭＦにリダイレクトする。リダイレクト方法は公に良く知られている。詳細は、本願の本実施形態において再び説明されない。本願の本実施形態では、ＡＭＦは目標ＡＭＦセットに含まれることがデフォルトであると考えられる。つまりＡＭＦは端末を処理のために別のＡＭＦへリダイレクトする必要がない。
【０１０１】
ステップ３０６。ＡＭＦは、端末に登録応答を送信する。その結果、端末は、登録応答を受信する。ここで、登録応答は、端末がアクセスを許可されたネットワークスライスに対応するＳ−ＮＳＳＡＩ、つまりＡｌｌｏｗｅｄ  ＮＳＳＡＩを含む。
【０１０２】
ステップ３０７。端末は、５Ｇネットワークへ転送できるＰＤＮコネクションを決定する。
【０１０３】
具体的に、端末は、端末がアクセスを許可されたネットワークスライスに対応するＳ−ＮＳＳＡＩ、及び端末の転送する必要のあるＰＤＮコネクションを５Ｇへ転送するために使用される対応するネットワークスライス情報に基づき、５Ｇネットワークへ転送できるＰＤＮコネクションを決定する。例えば、端末がアクセスを許可されたネットワークスライスに対応するＳ−ＮＳＳＡＩは、Ｓ−ＮＳＳＡＩ１及びＳ−ＮＳＳＡＩ３を含み、端末の転送する必要のあるＰＤＮコネクションに対応するネットワークスライスＳ−ＮＳＳＡＩはＳ−ＮＳＳＡＩ１及びＳ−ＮＳＳＡＩ２を含む。次に、端末は、Ｓ−ＮＳＳＡＩがＳ−ＮＳＳＡＩ１であるネットワークスライスに対応するＰＤＮコネクションが５Ｇネットワークへ転送可能であると決定する。
【０１０４】
以下のステップは、ＰＤＮコネクションを５ＧネットワークにおけるＰＤＵセッションに転送するために、５Ｇネットワークへ転送可能な各ＰＤＮコネクションについて実行される。
【０１０５】
ステップ３０８。端末は、ＰＤＵセッション確立要求をＡＭＦへ送信する。その結果、ＡＭＦは、端末により送信されたＰＤＵセッション確立要求を受信する。ここで、ＰＤＵセッション確立要求は、第１ＰＤＮコネクションに対応するネットワークスライスＳ−ＮＳＳＡＩ、及び第１ＰＤＮコネクションを５Ｇへ転送するために使用されるＤＮＮを含み、第１ＰＤＮコネクションは転送可能なＰＤＮコネクションのうちのいずれか１つである。
【０１０６】
具体的に、制御プレーン機能エンティティが、端末へ、ステップ３０２で、確立されたＰＤＮコネクションを５Ｇへ転送するために使用されるＤＮＮを送信しない場合、端末は、デフォルトで、５Ｇへ確立されたＰＤＮコネクションを転送するために使用されるＤＮＮが４ＧにおけるＡＰＮと同じであると考える。したがって、第１ＰＤＮコネクションを５Ｇへ転送するために使用されるＤＮＮは、第１ＰＤＮコネクションに対応するＡＰＮと同じである。
【０１０７】
制御プレーン機能エンティティが、端末へ、ステップ３０２で、確立されたＰＤＮコネクションを５Ｇへ転送するために使用されるＤＮＮを送信する場合、端末は、デフォルトで、５Ｇへ確立されたＰＤＮコネクションを転送するために使用されるＤＮＮが４ＧにおけるＡＰＮと異なると考える。したがって、ＰＤＵセッション確立要求は、第１ＰＤＮコネクションに対応するＡＰＮを更に含む。
【０１０８】
留意すべきことに、ＰＤＮコネクションが確立された後に、端末は、確立されたＰＤＮコネクションに対応するＡＰＮを格納する。
【０１０９】
ステップ３０９。ＡＭＦは、制御プレーン機能エンティティを決定し、ＰＤＵセッション確立要求を決定された制御プレーン機能エンティティへ転送する。その結果、制御プレーン機能エンティティは、ＰＤＵセッション確立要求を受信する。
【０１１０】
ＡＭＦは、第１ＰＤＮコネクションに対応するＡＰＮ、及びＡＰＮと制御プレーン機能エンティティの識別子との間の対応に基づき、制御プレーン機能エンティティを決定する。
【０１１１】
具体的に、ＡＭＦにより受信されたＰＤＵセッション確立要求が第１ＰＤＮコネクションに対応するネットワークスライスＳ−ＮＳＳＡＩ及び第１ＰＤＮコネクションを５Ｇへ転送するために使用されるＤＮＮを含むとき、ＡＭＦは、第１ＰＤＮコネクションに対応するＡＰＮが、第１ＰＤＮコネクションを５Ｇへ転送するために使用されるＤＮＮと同じであると決定し、第１ＰＤＮコネクションに対応するＡＰＮ及びＡＰＮと制御プレーン機能エンティティの識別子との間の対応に基づき、制御プレーン機能エンティティを決定する。ＡＭＦにより受信されたＰＤＵセッション確立要求が第１ＰＤＮコネクションに対応するネットワークスライスＳ−ＮＳＳＡＩ、第１ＰＤＮコネクションを５Ｇへ転送するために使用されるＤＮＮ、及び第１ＰＤＮコネクションに対応するＡＰＮを含むとき、ＡＭＦは、第１ＰＤＮコネクションに対応するＡＰＮ及びＡＰＮと制御プレーン機能エンティティの識別子との間の対応に基づき、制御プレーン機能エンティティを決定する。
【０１１２】
ステップ３１０。ＰＤＮコネクションに対応するネットワークスライスインスタンスの中でＰＤＵセッションを確立する。
【０１１３】
ＰＤＵセッション確立の後続処理は、既存のプロトコルにおけるものと同じである。詳細はここに記載されない。
【０１１４】
本願の本実施形態では、ＵＥが４ＧネットワークにおいてＰＤＮコネクションを確立しているとき、制御プレーン機能エンティティは、確立されたＰＤＮコネクションを５Ｇへ転送するために使用される対応するネットワークスライス情報を決定し、ネットワークスライス情報をＰＣＯを介してＵＥへ送信する。ＵＥが後に５ＧＣに登録されるとき、ＵＥは、ネットワークスライス情報を要求に追加する。これは、５ＧＣが、確立されたＰＤＮコネクションをサポートする対応する５Ｇネットワークスライスを選択するのを助け、セッションのＩＰアドレスが不変のままであることを保証する。
【０１１５】
図４は、本願の一実施形態で提供される別のセッション確立方法を示す。本実施形態では、端末は、先ず、Ｅ−ＵＴＲＡＮ装置を用いて４Ｇネットワークにアクセスし、４ＧネットワークにおいてＰＤＮコネクションを確立する。続いて、端末は５Ｇサービス範囲へ移動するので、端末はＮＧ−ＲＡＮ装置を用いて５Ｇネットワークにアクセスする。本願の本実施形態は、ＨＰＬＭＮ（Home  public  land  mobile  operator  network、ホーム公衆地上移動体事業者ネットワーク）経路設定（ホーム網への経路設定）ローミングシナリオに適用可能である。本願の本実施形態では、ホーム制御プレーン機能エンティティはＨＰＬＭＮ内に位置する。方法は、以下のステップを含む。
【０１１６】
ステップ４０１。端末は、４ＧネットワークでＰＤＮコネクションを確立する。
【０１１７】
ステップ４０２。ホーム制御プレーン機能エンティティは、５Ｇネットワークへ確立されたＰＤＮコネクションを転送するために使用される対応するネットワークスライス情報を取得し、ネットワークスライス情報を端末へ送信する。その結果、端末は、５Ｇネットワークへ確立されたＰＤＮコネクションを転送するために使用される対応するネットワークスライス情報を受信する。
【０１１８】
ステップ４０１はステップ３０１と同じであり、ステップ４０２はステップ３０２と同じである。関連する説明については、前述の実施形態における関連するステップを参照する。詳細はここで再び記載されない。留意すべきことに、一実装では、ホーム制御プレーン機能エンティティにより端末へ送信され且つＰＤＮコネクションを５Ｇへ転送するために使用される対応するネットワークスライス情報は、ホームＰＬＭＮネットワークスライス情報（例えば、Ｓ−ＮＳＳＡＩ）である。ホーム制御プレーン機能エンティティによりＵＥへ送信されたネットワークスライス情報が、ホームＰＬＭＮネットワークスライス情報である場合、ホーム制御プレーン機能エンティティは、ＵＥへ、ＰＤＮコネクションがホーム網への経路設定であることを示す指示情報を送信する。指示情報は、ホーム制御プレーン機能エンティティから受信したネットワークスライス情報がホームＰＬＭＮネットワークスライス情報であることを示すために使用される。その結果、ＵＥは、ホームＰＬＭＮ  ＩＤ、ホームＰＬＭＮ  Ｓ−ＮＳＳＡＩ、及びＵＥにより構成されたホームＰＬＭＮ  Ｓ−ＮＳＳＡＩと訪問先ＰＬＭＮ  Ｓ−ＮＳＳＡＩとの間のマッピング関係に基づき、ホームＰＬＭＮ  Ｓ−ＮＳＳＡＩを訪問先ＰＬＭＮ  Ｓ−ＮＳＳＡＩにマッピングする。ホーム網への経路設定指示情報は、ホームＰＬＭＮ  ＩＤ又はホーム網への経路設定タグであってよい。
【０１１９】
別の実装では、ホーム制御プレーン機能エンティティにより端末へ送信され且つＰＤＮコネクションを５Ｇへ転送するために使用される対応するネットワークスライス情報は、訪問先ＰＬＭＮ  Ｓ−ＮＳＳＡＩである。この場合、ホーム制御プレーン機能エンティティは、ＰＤＮコネクションを５Ｇへ転送するために使用される対応するホームＰＬＭＮネットワークスライス情報を、訪問先ＰＬＭＮネットワークスライス情報にマッピングする。具体的に、ホーム制御プレーン機能エンティティは、先ず、ステップ３０２の方法に従い、ＰＤＮコネクションを５Ｇへ転送するために使用される対応するホームＰＬＭＮネットワークスライス情報を決定し、次に、ＰＤＮコネクションを５Ｇへ転送するために使用される対応するホームＰＬＭＮネットワークスライス情報を、訪問先ＰＬＭＮネットワークスライス情報にマッピングする。ホーム制御プレーン機能エンティティは、ＭＭＥから、端末により現在アクセスされている訪問先ＰＬＭＮのＰＬＭＮ  ＩＤを取得し、次に、以下の表に示すように、ホーム制御プレーン機能エンティティにより構成された訪問先ＰＬＭＮ  Ｓ−ＮＳＳＡＩとホームＰＬＭＮ  Ｓ−ＮＳＳＡＩとの間のマッピング関係に基づき、ホームＰＬＭＮネットワークスライス情報を訪問先ＰＬＭＮネットワークスライス情報にマッピングする。
【表５】
2021503783.tif 000007
【０１２０】
任意で、ホーム制御プレーン機能エンティティは、代替として、ＮＳＳＦに、ホームＰＬＭＮ  Ｓ−ＮＳＳＡＩを訪問先ＰＬＭＮ  Ｓ−ＮＳＳＡＩにマッピングするよう要求する。具体的に、制御プレーン機能エンティティは、ＮＳＳＦに、ホームＰＬＭＮ  ＩＤ、ホームＰＬＭＮ  Ｓ−ＮＳＳＡＩ、及び訪問先ＰＬＭＮ  ＩＤを送信する。ＮＳＳＦは、訪問先ＰＬＭＮ  Ｓ−ＮＳＳＡＩを制御プレーン機能エンティティに返す。
【０１２１】
ステップ４０３。端末が５Ｇネットワークのカバレッジエリアへ移動するとき、端末は、登録要求を開始する。登録要求は、端末の転送したいＰＤＮコネクションを５Ｇへ転送するために使用される対応するネットワークスライス情報を含む。登録要求は、アクセス装置（例えば基地局）を用いることによりＡＭＦへ送信される。その結果、ＡＭＦは登録要求を受信する。端末が、ステップ４０２で、ホーム網への経路設定指示情報を受信した場合、端末は、受信したホームＰＬＭＮネットワークスライス情報を訪問先ＰＬＭＮネットワークスライス情報にマッピングする。端末は、ホームＰＬＭＮネットワークスライス情報、ホームＰＬＭＮ  ＩＤ、及びＵＥにより設定されたホームＰＬＭＮネットワークスライス情報と訪問先ＰＬＭＮネットワークスライス情報との間のマッピング関係に基づき、ホームＰＬＭＮネットワークスライス情報を訪問先ＰＬＭＮネットワークスライス情報にマッピングする。端末の転送したいＰＤＮコネクションは、確立されたＰＤＮコネクションのうちの一部又は全部である。
【０１２２】
ステップ４０４。ＡＭＦは、端末のサブスクリプションデータを取得する。ここで、端末のサブスクリプションデータは、端末のネットワークスライスサブスクリプションデータ、及び端末の転送したいＰＤＮコネクションに対応するＡＰＮと制御プレーン機能エンティティの識別子との間の対応を含む。
【０１２３】
ステップ４０４はステップ３０４と同じである。関連する説明については、前述の実施形態における関連するステップを参照する。詳細はここで再び記載されない。
【０１２４】
ステップ４０５。ＡＭＦは、端末がアクセスを許可されたネットワークスライスに対応するＳ−ＮＳＳＡＩ（つまり、Ａｌｌｏｗｅｄ  ＮＳＳＡＩ）を取得する。
【０１２５】
可能な実装では、ステップ４０３の特定の実装は、ステップ４０３ではＡＭＦが訪問先ＡＭＦであるが、ステップ３０３ではＡＭＦがホームＡＭＦであることを除き、ステップ３０３のものと同じである。この場合、ステップ４０５で、ホームＰＬＭＮネットワークスライスＳ−ＮＳＳＡＩと訪問先ＰＬＭＮネットワークスライスＳ−ＮＳＳＡＩとの間の対応に基づき、ＡＭＦは、確立されたＰＤＮコネクションを５Ｇへ転送するために使用される対応するネットワークスライスＳ−ＮＳＳＡＩを訪問先ＰＬＭＮネットワークスライスＳ−ＮＳＳＡＩにマッピングし、ユーザが加入しているネットワークスライスのＳ−ＮＳＳＡＩを訪問先ＰＬＭＮネットワークスライスＳ−ＮＳＳＡＩにマッピングし、次に、端末がアクセスを許可された訪問先ＰＬＭＮネットワークスライスに対応するＳ−ＮＳＳＡＩを決定する。特定の決定方法は、ステップ３０５のものと同じである。詳細はここで再び記載されない。
【０１２６】
別の可能な実装では、ステップ４０３で端末の転送したいＰＤＮコネクションを５Ｇへ転送するために使用される対応するネットワークスライス情報は、端末により、ホームＰＬＭＮネットワークスライスＳ−ＮＳＳＡＩと訪問先ＰＬＭＮネットワークスライスＳ−ＮＳＳＡＩとの間の対応に基づき、端末の転送したいＰＤＮコネクションを５Ｇへ転送するために使用される対応するネットワークスライスＳ−ＮＳＳＡＩを、端末の転送したいＰＤＮコネクションを５Ｇへ転送するために使用される対応する訪問先ＰＬＭＮネットワークスライスＳ−ＮＳＳＡＩにマッピングすることにより、取得される。具体的に言うと、ステップ３０２と比べて、端末の転送したいＰＤＮコネクションを決定するステップの後に、端末は、さらに、ホームＰＬＭＮネットワークスライスＳ−ＮＳＳＡＩと訪問先ＰＬＭＮネットワークスライスＳ−ＮＳＳＡＩとの間の対応に基づき、端末の転送したいＰＤＮコネクションを５Ｇへ転送するために使用される対応するネットワークスライスＳ−ＮＳＳＡＩを、端末の転送したいＰＤＮコネクションを５Ｇへ転送するために使用される対応する訪問先ＰＬＭＮネットワークスライスＳ−ＮＳＳＡＩにマッピングする必要がある。したがって、ステップ４０５で、ホームＰＬＭＮネットワークスライスＳ−ＮＳＳＡＩと訪問先ＰＬＭＮネットワークスライスＳ−ＮＳＳＡＩとの間の対応に基づき、ＡＭＦも、ユーザが加入しているネットワークスライスのＳ−ＮＳＳＡＩを訪問先ＰＬＭＮネットワークスライスＳ−ＮＳＳＡＩにマッピングし、次に、端末がアクセスを許可された訪問先ＰＬＭＮネットワークスライスに対応するＳ−ＮＳＳＡＩを、ユーザが加入しているネットワークスライスのＳ−ＮＳＳＡＩに対応する訪問先ＰＬＭＮネットワークスライスＳ−ＮＳＳＡＩに基づき、及び端末の転送したいＰＤＮコネクションを５Ｇへ転送するために使用される対応する訪問先ＰＬＭＮネットワークスライスＳ−ＮＳＳＡＩに基づき、決定する。特定の決定方法は、ステップ３０５のものと同じである。詳細はここで再び記載されない。
【０１２７】
ステップ４０６。ＡＭＦは、端末に登録応答を送信する。その結果、端末は、登録応答を受信する。ここで、登録応答は、端末がアクセスを許可された訪問先ＰＬＭＮネットワークスライスに対応するＳ−ＮＳＳＡＩ、つまりＡｌｌｏｗｅｄ  ＮＳＳＡＩを含む。
【０１２８】
ステップ４０７。端末は、５Ｇネットワークへ転送できるＰＤＮコネクションを決定する。
【０１２９】
ステップ３０７を参照すると、ステップ３０７との違いは次の通りである。端末により受信された、ＰＤＮコネクションを５Ｇへ転送するために使用される対応するネットワークスライス情報が、ホームＰＬＭＮ  Ｓ−ＮＳＳＡＩである場合、端末は、ホームＰＬＭＮネットワークスライスＳ−ＮＳＳＡＩと訪問先ＰＬＭＮネットワークスライスＳ−ＮＳＳＡＩとの間の対応に基づき、端末の転送したいＰＤＮコネクションに対応するネットワークスライスＳ−ＮＳＳＡＩを、端末の転送したいＰＤＮコネクションを５Ｇへ転送するために使用される対応する訪問先ＰＬＭＮネットワークスライスＳ−ＮＳＳＡＩにマッピングし、次に、ステップ４０６で受信した、端末がアクセスを許可された訪問先ＰＬＭＮネットワークスライスに対応するＳ−ＮＳＳＡＩを参照して、５Ｇネットワークへ転送可能なＰＤＮコネクションを決定する。
【０１３０】
以下のステップは、ＰＤＮコネクションを５ＧネットワークにおけるＰＤＵセッションに転送するために、５Ｇネットワークへ転送可能な各ＰＤＮコネクションについて実行される。
【０１３１】
ステップ４０８。端末は、ＰＤＵセッション確立要求をＡＭＦへ送信する。その結果、ＡＭＦは、端末により送信されたＰＤＵセッション確立要求を受信する。ここで、ＰＤＵセッション確立要求は、第１ＰＤＮコネクションを５Ｇネットワークへ転送するために使用される対応する訪問先ＰＬＭＮネットワークスライスＳ−ＮＳＳＡＩ、及び第１ＰＤＮコネクションを５Ｇへ転送するために使用されるＤＮＮを含み、第１ＰＤＮコネクションは転送可能なＰＤＮコネクションのうちのいずれか１つである。
【０１３２】
具体的に、ステップ４０２で、ホーム制御プレーン機能エンティティが、端末へ、確立されたＰＤＮコネクションを５Ｇへ転送するために使用されるＤＮＮを送信しない場合、端末は、デフォルトで、５Ｇへ確立されたＰＤＮコネクションを転送するために使用されるＤＮＮが４ＧにおけるＡＰＮと同じであると考える。したがって、第１ＰＤＮコネクションを５Ｇへ転送するために使用されるＤＮＮは、第１ＰＤＮコネクションに対応するＡＰＮと同じである。
【０１３３】
ホーム制御プレーン機能エンティティが、端末へ、ステップ４０２で、確立されたＰＤＮコネクションを５Ｇへ転送するために使用されるＤＮＮを送信する場合、端末は、デフォルトで、５Ｇへ確立されたＰＤＮコネクションを転送するために使用されるＤＮＮが４ＧにおけるＡＰＮと異なると考える。したがって、ＰＤＵセッション確立要求は、第１ＰＤＮコネクションに対応するＡＰＮを更に含む。
【０１３４】
留意すべきことに、ＰＤＮコネクションが確立された後に、端末は、確立されたＰＤＮコネクションに対応するＡＰＮを格納する。
【０１３５】
任意で、ステップ４０２で、ＵＥがホームＰＬＭＮネットワークスライスインスタンスの識別子を受信した場合、ＵＥは、ホームＰＬＭＮネットワークスライスインスタンスの識別子に関する情報をＡＭＦへ送信する。
【０１３６】
ステップ４０９。ＡＭＦは、訪問先制御プレーン機能エンティティ及びホーム制御プレーン機能エンティティを決定し、ＰＤＵセッション確立要求を決定された訪問先制御プレーン機能エンティティへ転送する。その結果、訪問先制御プレーン機能エンティティは、ＰＤＵセッション確立要求を受信する。
【０１３７】
具体的に、ＡＭＦにより、ホーム制御プレーン機能エンティティを決定するステップは、ＡＭＦにより、ユーザデータ管理エンティティから端末のＰＤＮコネクションコンテキスト情報を取得するステップを含み、ＰＤＮコネクションコンテキスト情報は、ＰＤＮコネクションに対応するＡＰＮとホーム制御プレーン機能エンティティの識別子との間の対応を含む。ＡＭＦにより受信されたＰＤＵセッション確立要求が第１ＰＤＮコネクションに対応する訪問先ＰＬＭＮネットワークスライスＳ−ＮＳＳＡＩ及び第１ＰＤＮコネクションを５Ｇへ転送するために使用されるＤＮＮを含むとき、ＡＭＦは、第１ＰＤＮコネクションに対応するＡＰＮが、第１ＰＤＮコネクションを５Ｇへ転送するために使用されるＤＮＮと同じであると決定し、第１ＰＤＮコネクションに対応するＡＰＮ及びＡＰＮとホーム制御プレーン機能エンティティの識別子との間の対応に基づき、ホーム制御プレーン機能エンティティを決定する。ＡＭＦにより受信されたＰＤＵセッション確立要求が第１ＰＤＮコネクションに対応する訪問先ＰＬＭＮネットワークスライスＳ−ＮＳＳＡＩ、第１ＰＤＮコネクションを５Ｇへ転送するために使用されるＤＮＮ、及び第１ＰＤＮコネクションに対応するＡＰＮを含むとき、ＡＭＦは、第１ＰＤＮコネクションに対応するＡＰＮ及びＡＰＮとホーム制御プレーン機能エンティティの識別子との間の対応に基づき、ホーム制御プレーン機能エンティティを決定する。
【０１３８】
ＡＭＦにより、訪問先制御プレーン機能エンティティを決定するステップは、具体的に、ＡＭＦにより、第１ＰＤＮコネクションに対応する訪問先ＰＬＭＮネットワークスライスＳ−ＮＳＳＡＩ及び第１ＰＤＮコネクションを５Ｇへ転送するために使用されるＤＮＮに基づき、訪問先制御プレーン機能エンティティを決定するステップを含む。具体的に、ＡＭＦは、ローカル構成に基づき又はネットワーク機能レポジトリ機能（network  function  repository  function,  NRF）エンティティに問い合わせることにより、訪問先制御プレーン機能エンティティを決定してよい。特定の決定処理については、既存のプロトコルを参照する。詳細はここで再び記載されない。ステップ４０８で、ＡＭＦがＵＥからホームＰＬＭＮネットワークスライスインスタンスの識別子を受信した場合、ＡＭＦは、ホームＰＬＭＮネットワークスライスインスタンスの識別子に更に基づき、訪問先制御プレーン機能エンティティを選択する。選択された訪問先制御プレーン機能エンティティは、ホームＰＬＭＮネットワークスライスインスタンスと相互運用可能であってよい。
【０１３９】
ステップ４１０。ＡＭＦは、ＰＤＵセッション確立要求及びホーム制御プレーン機能エンティティの識別子を、訪問先制御プレーン機能エンティティへ転送する。
【０１４０】
ステップ４１１。訪問先制御プレーン機能エンティティは、ＰＤＵセッション確立要求を、ホーム制御プレーン機能エンティティへ、ホーム制御プレーン機能エンティティの識別子に基づき送信する。
【０１４１】
ステップ４１２。ＰＤＮコネクションに対応するネットワークスライスインスタンスの中でＰＤＵセッションを確立する。
【０１４２】
ＰＤＵセッション確立の後続処理は、既存のプロトコルにおけるものと同じである。詳細はここに記載されない。
【０１４３】
本願の本実施形態では、ＵＥが４ＧネットワークにおいてＰＤＮコネクションを確立しているとき、ホーム制御プレーン機能エンティティは、確立されたＰＤＮコネクションを５Ｇへ転送するために使用される対応するネットワークスライス情報を決定し、ネットワークスライス情報をＰＣＯを介してＵＥへ送信する。ＵＥが後に５ＧＣに登録されるとき、ＵＥは、要求に、前述のネットワークスライス情報のマッピングされた訪問先ＰＬＭＮネットワークスライス情報を追加する。これは、５ＧＣが、確立されたＰＤＮコネクションをサポートする対応する５Ｇネットワークスライスを選択するのを助け、セッションのＩＰアドレスが不変のままであることを保証する。
【０１４４】
図３及び図４の実施形態におけるネットワーク要素（例えば、端末及び制御プレーン機能エンティティ）の動作は、メモリ２０３に格納されたアプリケーションプログラムコードを呼び出すことにより、図２に示す通信装置２００のプロセッサ２０１により実行されてよい。本願の本実施形態は、限定をこれに課さない。
【０１４５】
以上は、本願の実施形態で提供されるソリューションを、主にネットワーク要素間の相互作用の観点から説明した。前述の機能を実装するために、端末、ＡＭＦ、及び制御プレーン機能エンティティのような装置は、機能を実行する対応するハードウェア構造及び／又はソフトウェアモジュールを含むことが理解され得る。当業者は、本明細書に開示された実施形態で説明された例を参照して、ユニット及びアルゴリズムステップが本願においてハードウェア又はハードウェアとコンピュータソフトウェアとの結合により実装されてよいことを容易に認識すべきである。機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本願の範囲を超えると考えられるべきではない。
【０１４６】
本願の実施形態では、端末及び制御プレーン機能エンティティのような装置の機能モジュールは、前述の方法の例に従い分割されてよい。例えば、機能モジュールは、機能に基づき分割されてよく、又は２つ以上の機能が１つの処理モジュールに統合されてよい。統合されたモジュールは、ハードウェアの形式で実装されてよく、又はソフトウェア機能モジュールの形式で実装されてよい。留意すべきことに、本願の実施形態におけるモジュール分割は一例であり、単なる論理的機能分割であり、実際の実装では他の分割方法が存在してよい。
【０１４７】
例えば、図５は、機能モジュールが統合方法で分割されるときの、機器５００の概略構造図である。機器５００は、前述の実施形態における端末であってよく、又は端末内のチップであってよい。本願の本実施形態は、特定の限定をこれに課さない。図５に示されるように、機器は受信モジュール５０１と送信モジュール５０２とを含む。受信モジュール５０１は、制御プレーン機能エンティティから、確立されたパケットデータネットワークＰＤＮコネクションを５Ｇネットワークへ転送するために使用される対応するネットワークスライス情報を受信するよう構成され、確立されたパケットデータネットワークＰＤＮコネクションを５Ｇネットワークへ転送するために使用される対応するネットワークスライス情報は、確立されたＰＤＮコネクションを５Ｇネットワークへ転送するために使用される対応するネットワークスライス単一ネットワークスライス選択支援情報Ｓ−ＮＳＳＡＩを含む。送信モジュール５０２は、パケットデータユニットＰＤＵセッション確立要求を送信するよう構成され、ＰＤＵセッション確立要求は、第１ＰＤＮコネクションを５Ｇネットワークへ転送するために使用される対応するネットワークスライスＳ−ＮＳＳＡＩ、及び第１ＰＤＮコネクションを５Ｇネットワークへ転送するために使用される対応するデータネットワーク名ＤＮＮを含み、第１ＰＤＮコネクションは確立されたＰＤＮコネクションのうちのいずれか１つである。
【０１４８】
任意で、確立されたパケットデータネットワークＰＤＮコネクションを５Ｇネットワークへ転送するために使用される対応するネットワークスライス情報は、プロトコル構成オプションＰＣＯメッセージで運ばれる。
【０１４９】
任意で、受信モジュール５０１は、制御プレーン機能エンティティから、指示情報を受信するよう更に構成され、指示情報は、制御プレーン機能エンティティから受信したネットワークスライス情報がホームＰＬＭＮネットワークスライス情報であることを示すために使用される。
【０１５０】
端末は、マッピングモジュールを更に含む。マッピングモジュールは、ホームＰＬＭＮネットワークスライスＳ−ＮＳＳＡＩと訪問先ＰＬＭＮネットワークスライスＳ−ＮＳＳＡＩとの間の対応に基づき、端末の転送したいＰＤＮコネクションを５Ｇへ転送するために使用される対応するホームＰＬＭＮネットワークスライスＳ−ＮＳＳＡＩを、端末の転送したいＰＤＮコネクションを５Ｇへ転送するために使用される対応する訪問先ＰＬＭＮネットワークスライスＳ−ＮＳＳＡＩにマッピングするよう構成される。
【０１５１】
任意で、５Ｇネットワークへ確立されたＰＤＮコネクションを転送するために使用される対応するネットワークスライス情報は、５Ｇネットワークへ確立されたＰＤＮコネクションを転送するために使用される対応するネットワークスライスインスタンス識別子ＮＳＩ−ＩＤを更に含む。
【０１５２】
可能な実装では、送信モジュール５０２は、制御プレーン機能エンティティへ能力指示を送信するよう更に構成され、能力指示は、端末が５Ｇネットワークにハンドオーバ可能であることを示すために使用される。
【０１５３】
機器は、決定モジュールを更に含む。決定モジュールは、確立されたＰＤＮコネクションの中にあり且つ５Ｇネットワークへ転送可能なＰＤＮコネクションを決定するよう構成される。第１ＰＤＮコネクションは、５Ｇへ転送可能なＰＤＮコネクションのうちのいずれか１つである。
【０１５４】
機器は、決定モジュール５０３を更に含む。決定モジュール５０３は、確立されたＰＤＮコネクションの中にあり且つ５Ｇネットワークへ転送可能なＰＤＮコネクションを決定するよう構成される。第１ＰＤＮコネクションは、５Ｇへ転送可能なＰＤＮコネクションのうちのいずれか１つである。可能な実装では、決定モジュール５０３は、具体的に、登録要求を送信し、登録要求は、端末の転送したいＰＤＮコネクションを５Ｇネットワークへ転送するために使用される対応するネットワークスライス情報を含み、端末の転送したいＰＤＮコネクションは、確立されたＰＤＮコネクションのうちの一部又は全部であり、登録応答を受信し、登録応答は端末がアクセスを許可されたネットワークスライスのＳ−ＮＳＳＡＩを含み、端末の転送したいＰＤＮコネクションを５Ｇネットワークへ転送するために使用される対応するＳ−ＮＳＳＡＩと端末がアクセスを許可されたネットワークスライスのＳ−ＮＳＳＡＩとに基づき、５Ｇネットワークへ転送可能なＰＤＮコネクションを決定する、よう構成される。
【０１５５】
任意で、ＰＣＯメッセージは、５Ｇネットワークへ第１ＰＤＮコネクションを転送するために使用される対応するＤＮＮを更に含み、ＰＤＵセッション確立要求は、第１ＰＤＮコネクションに対応するアクセスポイント名ＡＰＮを更に含む。
【０１５６】
対応する機能モジュールの機能説明については、前述の方法の実施形態に含まれるステップの全ての関連する内容を参照する。詳細はここで再び記載されない。
【０１５７】
本実施形態では、機器５００は、統合方法で機能モジュールを分割することにより提示される。ここで、「モジュール」は、特定用途向け集積回路（application−specific  integrated  circuit,  ASIC）、回路、１つ以上のソフトウェア又はファームウェアプログラムを実行するプロセッサ及びメモリ、集積論理回路、及び／又は前述の機能を提供できる別の装置であってよい。単純な実施形態では、当業者は、機器５００が図２に示す形式であってよいことを理解し得る。
【０１５８】
例えば、図２のプロセッサ２０１は、メモリ２０３に格納されたコンピュータ実行可能命令を呼び出してよい。その結果、機器５００は、前述の方法の実施形態におけるセッション確立方法を実行する。
【０１５９】
具体的に、図５の受信モジュール５０１、送信モジュール５０２、及び決定モジュール５０３の機能及び実装処理は、図２のプロセッサ２０１により、メモリ２０３に格納されたコンピュータ実行可能命令を呼び出すことにより、実装されてよい。
【０１６０】
任意で、機器５００がチップであるとき、受信モジュール５０１、送信モジュール５０２、及び決定モジュール５０３の機能及び実装処理は、ピン、回路、等により実施されてよい。任意で、機器５００がチップであるとき、メモリ２０３は、チップ内の記憶ユニット、例えばレジスタ又はキャッシュであってよい。もちろん、機器５００が端末であるとき、メモリ２０３は、端末内にあり、チップの外部にある記憶ユニットであってよい。本願の本実施形態は、特定の限定をこれに課さない。
【０１６１】
本願の本実施形態で提供される機器は、前述のセッション確立方法を実行するよう構成されてよい。したがって、機器により達成可能な技術的効果については、前述の方法の実施形態を参照する。詳細はここで再び記載されない。
【０１６２】
図６は、制御プレーン機能エンティティ６００の概略構造図である。制御プレーン機能エンティティ６００は、送信モジュール６０１及び受信モジュール６０２を含む。送信モジュール６０１は、確立されたパケットデータネットワークＰＤＮコネクションを５Ｇネットワークへ転送するために使用される対応するネットワークスライス情報を送信するよう構成され、確立されたＰＤＮコネクションを５Ｇネットワークへ転送するために使用される対応するネットワークスライス情報は、確立されたＰＤＮコネクションに対応するネットワークスライス単一ネットワークスライス選択支援情報Ｓ−ＮＳＳＡＩを含む。受信モジュール６０２は、パケットデータユニットＰＤＵセッション確立要求を受信するよう構成され、ＰＤＵセッション確立要求は、第１ＰＤＮコネクションに対応するネットワークスライスＳ−ＮＳＳＡＩ、及び第１ＰＤＮコネクションを５Ｇネットワークへ転送するために使用される対応するデータネットワーク名ＤＮＮを含み、第１ＰＤＮコネクションは確立されたＰＤＮコネクションのうちのいずれか１つである。
【０１６３】
任意で、確立されたパケットデータネットワークＰＤＮコネクションを５Ｇネットワークへ転送するために使用される対応するネットワークスライス情報は、プロトコル構成オプションＰＣＯメッセージで運ばれ、ＰＣＯメッセージは、確立されたＰＤＮコネクションを５Ｇネットワークへ転送するために使用される対応するＤＮＮを更に含む。
【０１６４】
任意で、制御プレーン機能エンティティは、決定モジュールを更に含む。決定モジュールは、確立されたＰＤＮコネクションに対応するアクセスポイント名ＡＰＮに基づき、確立されたＰＤＮコネクションを５Ｇネットワークへ転送するために使用される対応するネットワークスライス情報を決定するよう構成される。
【０１６５】
可能な実装では、送信モジュール５０２は、指示情報を送信するよう更に構成され、指示情報は、制御プレーン機能エンティティにより送信されたネットワークスライス情報がホームＰＬＭＮネットワークスライス情報であることを示すために使用される。
【０１６６】
確立されたＰＤＮがホーム網への経路設定（Ｈｏｍｅ  ｒｏｕｔｅｄ）シナリオで確立された場合、送信モジュール５０２は、具体的に、確立されたＰＤＮコネクションを５Ｇへ転送するために使用される対応するホームＰＬＭＮネットワークスライス情報を決定し、確立されたＰＤＮコネクションを５Ｇへ転送するために使用される対応するホームＰＬＭＮネットワークスライス情報を、訪問先ＰＬＭＮネットワークスライス情報にマッピングし、端末へ、確立されたＰＤＮコネクションを５Ｇへ転送するために使用される対応するネットワークスライス情報として、確立されたＰＤＮコネクションを５Ｇへ転送するために使用される対応する訪問先ＰＬＭＮネットワークスライス情報を送信する、よう構成される。
【０１６７】
任意で、確立されたＰＤＮコネクションを５Ｇネットワークへ転送するために使用される対応するネットワークスライス情報は、確立されたＰＤＮコネクションを５Ｇネットワークへ転送するために使用される対応するネットワークスライスインスタンス識別子ＮＳＩ−ＩＤを更に含む。
【０１６８】
可能な実装では、受信モジュール６０２は、端末から能力指示を受信するよう更に構成され、能力指示は、端末が５Ｇネットワークにハンドオーバ可能であることを示すために使用される。
【０１６９】
対応する機能モジュールの機能説明については、前述の方法の実施形態に含まれるステップの全ての関連する内容を参照する。詳細はここで再び記載されない。
【０１７０】
制御プレーン機能エンティティ６００は、集積回路、無線周波数集積回路、印刷回路基板、等に実装されてよい。さらに、制御プレーン機能エンティティ６００は、独立した装置であってよく、又は比較的大型の装置の部分であってよい。本実施形態では、制御プレーン機能エンティティ６００は、統合方法で機能モジュールを分割することにより提示される。ここで、「モジュール」は、特定のＡＳＩＣ、回路、１つ以上のソフトウェア又はファームウェアプログラムを実行するプロセッサ及びメモリ、集積論理回路、及び／又は前述の機能を提供できる別の装置であってよい。
【０１７１】
単純な実施形態では、当業者は、制御プレーン機能エンティティ６００が図２に示す形式であってよいことを理解し得る。例えば、図２のプロセッサ２０１は、メモリ２０３に格納されたコンピュータ実行可能命令を呼び出してよい。その結果、制御プレーン機能エンティティ６００は、前述の方法の実施形態におけるセッション確立方法を実行する。
【０１７２】
前述の実施形態の全部又は一部は、ソフトウェア、ハードウェア、ファームウェア、又はそれらの任意の結合により実装されてよい。実施形態を実装するためにソフトウェアが使用されるとき、実施形態は、コンピュータプログラムプロダクトの形式で完全に又は部分的に実装されてよい。コンピュータプログラムプロダクトは、１つ以上のコンピュータ命令を含む。コンピュータプログラム命令がコンピュータ上にロードされ実行されると、本願の実施形態による手順又は機能のうちの全部又は一部が生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（digital  subscriber  line,  DSL））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ディスク（solid  state  disk,  SSD））等であってよい。
【０１７３】
本願は実施形態を参照して説明されたが、保護を請求する本願を実装する処理において、当業者は、添付の図面、開示の内容、及び添付の特許請求の範囲を見ることにより、開示の実施形態の別の変形を理解し実装し得る。特許請求の範囲において、用語「含む（comprising）」は、別のコンポーネント又は別のステップを排除せず、「一」又は「１つ」は複数の場合を排除しない。単一のプロセッサ又は別のユニットは、特許請求の範囲に列挙された幾つかの機能を実装してよい。幾つかの手段は、互いに異なる従属請求項に記録されるが、これは、これらの手段がよりよい効果を生成するために結合できないことを意味するものではない。
【０１７４】
本願は特定の特徴及びその実施形態を参照して説明されたが、明確に、種々の変更及び結合が、本願の精神及び範囲から逸脱することなく本願に対して行われてよい。相応して、明細書及び添付の図面は、添付の特許請求の範囲により定められる本願の単なる例示的な説明であり、本願の範囲をカバーする任意の又は全部の変更、変形、結合又は均等物として考えられる。明らかに、当業者は、本願の精神及び範囲から逸脱することなく、種々の変更及び変形を本願に対して行うことができる。本願は、本願のこれらの変更及び変形が以下の特許請求の範囲により定められる保護範囲及びそれらの均等な技術の範囲内に含まれるならば、それらをカバーすることを意図する。
【図１】
2021503783.tif 000008
【図２】
2021503783.tif 000009
【図３】
2021503783.tif 000010
【図４】
2021503783.tif 000011
【図５】
2021503783.tif 000012
【図６】
2021503783.tif 000013
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
セッション確立方法であって、
端末により、制御プレーン機能エンティティから、パケットデータネットワーク（ＰＤＮ）コネクションの確立の間に、前記ＰＤＮコネクションに対応する単一ネットワークスライス選択支援情報（Ｓ−ＮＳＳＡＩ）を受信するステップと、
前記端末により、前記ＰＤＮコネクションを第５世代（５Ｇ）ネットワークへ転送するとき、セッション確立要求を送信するステップであって、前記ＰＤＵセッション確立要求は前記ＰＤＮコネクションに対応する前記Ｓ−ＮＳＳＡＩを含む、ステップと、
を含む方法。
【請求項２】
前記ＰＤＮコネクションに対応する前記Ｓ−ＮＳＳＡＩは、プロトコル構成オプション（ＰＣＯ）に含まれる、請求項１に記載の方法。
【請求項３】
ホーム網への経路設定ローミングシナリオで、前記制御プレーン機能エンティティから受信した前記ＰＤＮコネクションに対応する前記Ｓ−ＮＳＳＡＩは、ホーム公衆地上移動体ネットワーク（ＰＬＭＮ）Ｓ−ＮＳＳＡＩである、請求項１又は２に記載の方法。
【請求項４】
前記端末により、前記制御プレーン機能エンティティから、ホームＰＬＭＮ識別子（ＩＤ）を受信するステップであって、前記ホームＰＬＭＮ  ＩＤは、前記制御プレーン機能エンティティから受信した前記ＰＤＮコネクションに対応する前記Ｓ−ＮＳＳＡＩが前記ホームＰＬＭＮ  Ｓ−ＮＳＳＡＩであることを示す、ステップ、
を更に含む請求項３に記載の方法。
【請求項５】
前記端末により、前記ＰＤＮコネクションに対応する前記ホームＰＬＭＮ  Ｓ−ＮＳＳＡＩを、前記ＰＤＮコネクションに対応する訪問先ＰＬＭＮ  Ｓ−ＮＳＳＡＩにマッピングするステップであって、前記ＰＤＵセッション確立要求に含まれる前記ＰＤＮコネクションに対応する前記Ｓ−ＮＳＳＡＩは、前記訪問先ＰＬＭＮ  Ｓ−ＮＳＳＡＩである、ステップ、
を更に含む請求項４に記載の方法。
【請求項６】
前記ＰＤＮコネクションに対応する前記ホームＰＬＭＮ  Ｓ−ＮＳＳＡＩを前記ＰＤＮコネクションに対応する訪問先ＰＬＭＮ  Ｓ−ＮＳＳＡＩにマッピングする前記ステップは、
前記端末により、ホームＰＬＭＮネットワークスライス情報と訪問先ＰＬＭＮネットワークスライス情報との間の対応に基づき、前記ＰＤＮコネクションに対応する前記ホームＰＬＭＮ  Ｓ−ＮＳＳＡＩを前記ＰＤＮコネクションに対応する訪問先ＰＬＭＮ  Ｓ−ＮＳＳＡＩにマッピングするステップを含む、請求項５に記載の方法。
【請求項７】
前記端末により、前記制御プレーン機能エンティティへ能力指示を送信するステップであって、前記能力指示は、前記端末が前記５Ｇネットワークにハンドオーバ可能であることを示すために使用される、ステップ、
を更に含む請求項１乃至６のいずれか一項に記載の方法。
【請求項８】
前記制御プレーン機能エンティティへ前記能力指示を送信する前記ステップは、
前記端末により、プロトコル構成オプション（ＰＣＯ）により、前記能力指示を前記制御プレーン機能エンティティへ送信するステップを含む、請求項７に記載の方法。
【請求項９】
前記端末により、基地局へ、登録要求を送信するステップであって、前記登録要求は、前記ＰＤＮコネクションに対応する前記Ｓ−ＮＳＳＡＩを含む、ステップと、
前記端末により、登録応答を受信するステップであって、前記登録応答は、端末のＡｌｌｏｗｅｄ  ＮＳＳＡＩを含む、ステップと、
を更に含む請求項１乃至８のいずれか一項に記載の方法。
【請求項１０】
前記ＰＤＮコネクションに対応する前記Ｓ−ＮＳＳＡＩは、前記登録要求の「Ｒｅｑｕｅｓｔｅｄ  ＮＳＳＡＩ」フィールドで運ばれる、請求項９に記載の方法。
【請求項１１】
前記基地局により、前記ＰＤＮコネクションに対応する前記Ｓ−ＮＳＳＡＩに従い、アクセス及びモビリティ管理機能を選択するステップ、
を更に含む請求項９又は１０に記載の方法。
【請求項１２】
前記ＰＤＵセッション確立要求は、対応するデータネットワーク名（ＤＮＮ）を更に含む、請求項１乃至１１のいずれか一項に記載の方法。
【請求項１３】
機器であって、受信モジュールと送信モジュールとを含み、
前記受信モジュールは、制御プレーン機能エンティティから、パケットデータネットワーク（ＰＤＮ）コネクションの確立の間に、前記ＰＤＮコネクションに対応する単一ネットワークスライス選択支援情報（Ｓ−ＮＳＳＡＩ）を受信するよう構成され、
前記送信モジュールは、前記ＰＤＮコネクションを第５世代（５Ｇ）ネットワークへ転送するとき、セッション確立要求を送信するよう構成され、前記ＰＤＵセッション確立要求は前記ＰＤＮコネクションに対応する前記Ｓ−ＮＳＳＡＩを含む、機器。
【請求項１４】
前記ＰＤＮコネクションに対応する前記Ｓ−ＮＳＳＡＩは、プロトコル構成オプション（ＰＣＯ）に含まれる、請求項１３に記載の機器。
【請求項１５】
ホーム網への経路設定ローミングシナリオで、前記制御プレーン機能エンティティから受信した前記ＰＤＮコネクションに対応する前記Ｓ−ＮＳＳＡＩは、ホーム公衆地上移動体ネットワーク（ＰＬＭＮ）Ｓ−ＮＳＳＡＩである、請求項１３又は１４に記載の機器。
【請求項１６】
前記受信モジュールは、前記制御プレーン機能エンティティから、ホームＰＬＭＮ識別子（ＩＤ）を受信するよう構成され、前記ホームＰＬＭＮ  ＩＤは、前記制御プレーン機能エンティティから受信した前記ＰＤＮコネクションに対応する前記Ｓ−ＮＳＳＡＩが前記ホームＰＬＭＮ  Ｓ−ＮＳＳＡＩであることを示す、請求項１５に記載の機器。
【請求項１７】
前記機器はマッピングモジュールを更に含み、
前記マッピングモジュールは、前記ＰＤＮコネクションに対応する前記ホームＰＬＭＮ  Ｓ−ＮＳＳＡＩを、前記ＰＤＮコネクションに対応する訪問先ＰＬＭＮ  Ｓ−ＮＳＳＡＩにマッピングするよう構成され、前記ＰＤＵセッション確立要求に含まれる前記ＰＤＮコネクションに対応する前記Ｓ−ＮＳＳＡＩは、前記訪問先ＰＬＭＮ  Ｓ−ＮＳＳＡＩである、請求項１５又は１６に記載の機器。
【請求項１８】
前記マッピングモジュールが、前記ＰＤＮコネクションに対応する前記ホームＰＬＭＮ  Ｓ−ＮＳＳＡＩを前記ＰＤＮコネクションに対応する訪問先ＰＬＭＮ  Ｓ−ＮＳＳＡＩにマッピングするよう構成されることは、
ホームＰＬＭＮネットワークスライス情報と訪問先ＰＬＭＮネットワークスライス情報との間の対応に基づき、前記ＰＤＮコネクションに対応する前記ホームＰＬＭＮ  Ｓ−ＮＳＳＡＩを前記ＰＤＮコネクションに対応する訪問先ＰＬＭＮ  Ｓ−ＮＳＳＡＩにマッピングすることである、請求項１７に記載の機器。
【請求項１９】
前記送信モジュールは、前記制御プレーン機能エンティティへ能力指示を送信するよう更に構成され、前記能力指示は、前記機器が前記５Ｇネットワークにハンドオーバ可能であることを示すために使用される、請求項１３乃至１８のいずれか一項に記載の機器。
【請求項２０】
前記送信モジュールが、前記制御プレーン機能エンティティへ前記能力指示を送信するよう更に構成されることは、
プロトコル構成オプション（ＰＣＯ）により、前記能力指示を前記制御プレーン機能エンティティへ送信することである、請求項１９に記載の機器。
【請求項２１】
前記送信モジュールは、基地局へ、登録要求を送信するよう更に構成され、前記登録要求は、前記ＰＤＮコネクションに対応する前記Ｓ−ＮＳＳＡＩを含み、前記受信モジュールは、登録応答を受信するよう更に構成され、前記登録応答は、前記機器のＡｌｌｏｗｅｄ  ＮＳＳＡＩを含む、請求項１３乃至２０のいずれか一項に記載の機器。
【請求項２２】
前記ＰＤＮコネクションに対応する前記Ｓ−ＮＳＳＡＩは、前記登録要求の「Ｒｅｑｕｅｓｔｅｄ  ＮＳＳＡＩ」フィールドで運ばれる、請求項２１に記載の機器。
【請求項２３】
前記ＰＤＵセッション確立要求は、対応するデータネットワーク名（ＤＮＮ）を更に含む、請求項１３乃至２２のいずれか一項に記載の機器。
【請求項２４】
セッション確立方法であって、
制御プレーン機能エンティティにより、端末へ、パケットデータネットワーク（ＰＤＮ）コネクションの確立の間に、前記ＰＤＮコネクションに対応する単一ネットワークスライス選択支援情報（Ｓ−ＮＳＳＡＩ）を送信するステップと、
前記制御プレーン機能エンティティにより、前記ＰＤＮコネクションを第５世代（５Ｇ）ネットワークへ転送するとき、セッション確立要求を受信するステップであって、前記ＰＤＵセッション確立要求は前記ＰＤＮコネクションに対応する前記Ｓ−ＮＳＳＡＩを含む、ステップと、
を含む方法。
【請求項２５】
前記ＰＤＮコネクションに対応する前記Ｓ−ＮＳＳＡＩは、プロトコル構成オプション（ＰＣＯ）に含まれる、請求項２４に記載の方法。
【請求項２６】
ホーム網への経路設定ローミングシナリオで、前記端末へ送信した前記ＰＤＮコネクションに対応する前記Ｓ−ＮＳＳＡＩは、ホーム公衆地上移動体ネットワーク（ＰＬＭＮ  Ｓ−ＮＳＳＡＩ）である、請求項２４又は２５に記載の方法。
【請求項２７】
前記制御プレーン機能エンティティにより、前記端末へ、ホームＰＬＭＮ識別子（ＩＤ）を送信するステップであって、前記ホームＰＬＭＮ  ＩＤは、前記端末へ送信した前記ＰＤＮコネクションに対応する前記Ｓ−ＮＳＳＡＩが前記ホームＰＬＭＮ  Ｓ−ＮＳＳＡＩであることを示す、ステップ、
を更に含む請求項２６に記載の方法。
【請求項２８】
前記制御プレーン機能エンティティにより、前記端末から、能力指示を受信するステップであって、前記能力指示は、前記端末が前記５Ｇネットワークにハンドオーバ可能であることを示すために使用される、ステップ、
を更に含む請求項２４乃至２７のいずれか一項に記載の方法。
【請求項２９】
前記端末から、前記能力指示を受信する前記ステップは、前記制御プレーン機能エンティティにより、プロトコル構成オプション（ＰＣＯ）により、前記能力指示を前記端末から受信するステップを含む、請求項２８に記載の方法。
【請求項３０】
制御プレーン機能エンティティであって、送信モジュールと受信モジュールとを含み、
前記送信モジュールは、端末へ、パケットデータネットワーク（ＰＤＮ）コネクションの確立の間に、前記ＰＤＮコネクションに対応する単一ネットワークスライス選択支援情報（Ｓ−ＮＳＳＡＩ）を送信するよう構成され、
前記受信モジュールは、前記ＰＤＮコネクションを第５世代（５Ｇ）ネットワークへ転送するとき、セッション確立要求を受信するよう構成され、前記ＰＤＵセッション確立要求は前記ＰＤＮコネクションに対応する前記Ｓ−ＮＳＳＡＩを含む、制御プレーン機能エンティティ。
【請求項３１】
前記ＰＤＮコネクションに対応する前記Ｓ−ＮＳＳＡＩは、プロトコル構成オプション（ＰＣＯ）に含まれる、請求項３０に記載の制御プレーン機能エンティティ。
【請求項３２】
ホーム網への経路設定ローミングシナリオで、前記端末へ送信した前記ＰＤＮコネクションに対応する前記Ｓ−ＮＳＳＡＩは、ホーム公衆地上移動体ネットワーク（ＰＬＭＮ）Ｓ−ＮＳＳＡＩである、請求項３０又は３１に記載の制御プレーン機能エンティティ。
【請求項３３】
前記送信モジュールは、前記端末へ、ホームＰＬＭＮ識別子（ＩＤ）を送信するよう構成され、前記ホームＰＬＭＮ  ＩＤは、前記端末へ送信した前記ＰＤＮコネクションに対応する前記Ｓ−ＮＳＳＡＩが前記ホームＰＬＭＮ  Ｓ−ＮＳＳＡＩであることを示す、請求項３２に記載の制御プレーン機能エンティティ。
【請求項３４】
前記受信モジュールは、前記端末から能力指示を受信するよう更に構成され、前記能力指示は、前記端末が前記５Ｇネットワークにハンドオーバ可能であることを示すために使用される、請求項３０乃至３３のいずれか一項に記載の制御プレーン機能エンティティ。
【請求項３５】
前記受信モジュールが、前記端末から、前記能力指示を受信するよう更に構成されることは、
プロトコル構成オプション（ＰＣＯ）により、前記能力指示を前記端末から受信することである、請求項３４に記載の制御プレーン機能エンティティ。
【請求項３６】
機器であって、
少なくとも１つのプロセッサと、
前記少なくとも１つのプロセッサに結合され、格納されたプログラム命令を含むメモリであって、前記プログラム命令は、前記少なくとも１つのプロセッサにより実行されると、前記機器に請求項１乃至１２又は請求項２４乃至２９のいずれか一項に記載の方法を実行させる、メモリと、
を含む機器。
【請求項３７】
前記機器は、端末、前記端末の中のチップ、又は制御プレーン機能エンティティ、のうちの少なくとも１つを含む、請求項３６に記載の機器。
【請求項３８】
命令を含むコンピュータ可読記憶媒体であって、前記命令がコンピュータ上で実行すると、前記コンピュータは、請求項１乃至１２又は請求項２４乃至２９のいずれか一項に記載の方法を実行するようにされる、コンピュータ可読記憶媒体。
【請求項３９】
コンピュータプログラムであって、前記コンピュータプログラムがコンピュータ上で実行すると、前記コンピュータは、請求項１乃至１２又は請求項２４乃至２９のいずれか一項に記載の方法を実行するようにされる、コンピュータプログラム。
【請求項４０】
請求項１３乃至２３のいずれか一項に記載の機器と、請求項３０乃至３５のいずれか一項に記載の制御プレーン機能エンティティと、を含むセッション確立システム。
【手続補正２】
【補正対象書類名】明細書
【補正対象項目名】０１５３
【補正方法】削除
【補正の内容】
【手続補正３】
【補正対象書類名】明細書
【補正対象項目名】０１７４
【補正方法】変更
【補正の内容】
【０１７４】
本願は特定の特徴及びその実施形態を参照して説明されたが、明確に、種々の変更及び結合が、本願の範囲から逸脱することなく本願に対して行われてよい。相応して、明細書及び添付の図面は、添付の特許請求の範囲により定められる本願の単なる例示的な説明であり、本願の範囲をカバーする任意の又は全部の変更、変形、結合又は均等物として考えられる。明らかに、当業者は、本願の範囲から逸脱することなく、種々の変更及び変形を本願に対して行うことができる。本願は、本願のこれらの変更及び変形が以下の特許請求の範囲により定められる保護範囲及びそれらの均等な技術の範囲内に含まれるならば、それらをカバーすることを意図する。
【国際調査報告】
2021503783.tif 000014
2021503783.tif 000015
2021503783.tif 000016
2021503783.tif 000017